(57)【要約】【課題】本発明は、通話中に音声認識を基盤で通話内容を分析して通話者に必要な情報を能動的に抽出して提供するようにする通信内容基盤の能動的情報提供のための端末、サーバー、方法、及び記録媒体を提供する。【解決手段】本発明の一側面による通信内容基盤の能動的情報提供のための方法は、使用者端末で遂行する方法であり、(ａ)日程、アップ、音声メモ、関心事情報、及び連絡先のうちで少なくとも一つをカテゴリー別に区分して、加入者本人及び通信相対方のうちで少なくとも一つの通信内容から抽出された通信者の関心事情報、日程関連情報、加入者住所録内の名前情報に対応する住所録情報、加入者端末内のアップと関連された第１情報、及び前記第１情報に対応する一つ以上のアップ駆動アイコンのうちで少なくとも一つを前記区分されたカテゴリー別に表示するための段階、を含むことができる。【選択図】図１
2014192900.tif 000002
【特許請求の範囲】
【請求項１】
日程、アップ、音声メモ、関心事情報、及び連絡先のうちで少なくともいずれか一つをカテゴリー別に区分して、加入者本人及び通信相対方のうちで少なくとも一つの通信内容から抽出された通信者の関心事情報、日程関連情報、加入者住所録内の名前情報に対応する住所録情報、加入者端末内のアップと関連された第１情報、及び前記第１情報に対応する一つ以上のアップ駆動アイコンのうちで少なくともいずれか一つを前記区分されたカテゴリー別に表示するための表示部を含むことを特徴とする通信内容基盤の能動的情報提供のための端末。
【請求項２】
前記表示された日程関連情報を日程に反映して記憶するための日程反映部をさらに含むことを特徴とする請求項１に記載の通信内容基盤の能動的情報提供のための端末。
【請求項３】
前記記憶された日程関連情報が既に記憶された日程情報と重複される場合、該当重複日程に対するアラームを提供するアラーム部をさらに含むことを特徴とする請求項２に記載の通信内容基盤の能動的情報提供のための端末。
【請求項４】
前記表示されたアップ駆動アイコンの選択時に該当アップを駆動するためのアップ駆動部をさらに含むことを特徴とする請求項１に記載の通信内容基盤の能動的情報提供のための端末。
【請求項５】
前記表示部は通信者の関心事情報、日程関連情報、加入者住所録内の名前情報に対応する住所録情報、加入者端末内のアップと関連された第１情報、及び前記第１情報に対応する一つ以上のアップ駆動アイコンのうちで少なくともいずれか一つを、前記加入者の通信相対方情報とマッチングして表示することを特徴とする請求項１に記載の通信内容基盤の能動的情報提供のための端末。
【請求項６】
前記通信相対方情報は、住所録、または通話目録にある相手方の情報を含むことを特徴とする請求項５に記載の通信内容基盤の能動的情報提供のための端末。
【請求項７】
通信者の関心事情報、日程関連情報、加入者住所録内の名前情報に対応する住所録情報、加入者端末内のアップと関連された第１情報、及び前記第１情報に対応する一つ以上のアップ駆動アイコンのうちで少なくともいずれか一つを、該当通信中または該当通信完了直後に使用者の選択によって、または自動で該当サーバーから受信するための受信部をさらに含んで、
前記表示部は前記受信部が前記該当サーバーから該当情報を受信した直後その受信した該当情報を表示することを特徴とする請求項１に記載の通信内容基盤の能動的情報提供のための端末。
【請求項８】
前記表示された日程関連情報を使用者の選択によって編集または修正するための日程修正部をさらに含むことを特徴とする請求項１に記載の通信内容基盤の能動的情報提供のための端末。
【請求項９】
前記日程関連情報は、時間(Time)、場所(Place)、及び日程(Occasion、Event)名のうちで一つ以上を含むことを特徴とする請求項１に記載の通信内容基盤の能動的情報提供のための端末。
【請求項１０】
前記住所録情報は、該当名前、電話番号、及び写真のうちで少なくとも一つ以上を含むことを特徴とする請求項１に記載の通信内容基盤の能動的情報提供のための端末。
【請求項１１】
前記表示部は、前記住所録情報と共に通話連結ボタン、メッセージ送信ボタン、及び共有ボタンのうちで少なくとも一つ以上を表示することを特徴とする請求項１に記載の通信内容基盤の能動的情報提供のための端末。
【請求項１２】
前記加入者の通信時、または前もって前記加入者住所録内の名前情報、または前記加入者端末内に設置されたアップ情報を該当サーバーに伝送するための伝送部をさらに含むことを特徴とする請求項１に記載の通信内容基盤の能動的情報提供のための端末。
【請求項１３】
前記表示された通信者の関心事情報は、該当通話内容のうちで発話上特徴が既設定された基準に符合する単語を含むことを特徴とする請求項１に記載の通信内容基盤の能動的情報提供のための端末。
【請求項１４】
前記発話上特徴は、単語の言及回数、音の大きさ、発音速度、及び発音正確度のうちで少なくとも一つを含むことを特徴とする請求項１３に記載の通信内容基盤の能動的情報提供のための端末。
【請求項１５】
前記表示された通信者の関心事情報は、該当通話内容のうちで勧誘形、命令形、または行為を伴わなければならない特定単語が含まれた構文を含むことを特徴とする請求項１に記載の通信内容基盤の能動的情報提供のための端末。
【請求項１６】
日程、アップ、音声メモ、関心事情報、及び連絡先のうちで少なくともいずれか一つをカテゴリー別に区分して、加入者本人及び通信相対方のうちで少なくとも一つの通信内容から、通信者の関心事情報、日程関連情報、加入者住所録内の名前情報に対応する住所録情報、加入者端末内のアップと関連された第１情報、及び前記第１情報に対応する一つ以上のアップ駆動アイコンに対する第２情報のうちで少なくともいずれか一つを前記区分されたカテゴリー別に抽出するための情報抽出部と、及び
前記抽出された該当情報を前記加入者の端末に提供するための情報提供部と、を含むことを特徴とする通信内容基盤の能動的情報提供のためのサーバー。
【請求項１７】
加入者の通信時または前もって該当加入者住所録内の名前情報、または該当加入者端末内に設置されたアップ情報を獲得するための情報獲得部をさらに含むことを特徴とする請求項１６に記載の通信内容基盤の能動的情報提供のためのサーバー。
【請求項１８】
前記加入者の通信終了時に前記獲得された名前情報、またはアップ情報を削除するための情報削除部をさらに含むことを特徴とする請求項１６に記載の通信内容基盤の能動的情報提供のためのサーバー。
【請求項１９】
前記情報提供部は、前記情報抽出部を通じて抽出された情報を前記加入者の通信相対方情報とマッチングして前記加入者の端末に提供することを特徴とする請求項１６に記載の通信内容基盤の能動的情報提供のためのサーバー。
【請求項２０】
前記通信相対方情報は、前記加入者の端末の住所録、または通話目録にある相手方の情報を含むことを特徴とする請求項１９に記載の通信内容基盤の能動的情報提供のためのサーバー。
【請求項２１】
前記情報提供部は、前記情報抽出部を通じて抽出された情報を該当通信中、または該当通信完了直後使用者の選択によって、または自動で前記加入者の端末に提供することを特徴とする請求項１６に記載の通信内容基盤の能動的情報提供のためのサーバー。
【請求項２２】
前記日程関連情報は、時間(Time)、場所(Place)、及び日程名のうちで一つ以上を含むことを特徴とする請求項１６に記載の通信内容基盤の能動的情報提供のためのサーバー。
【請求項２３】
前記情報抽出部は、該当通話内容のうちで発話上特徴が既設定された基準に符合する単語を基礎で前記通信者の関心事情報を抽出することを特徴とする請求項１６に記載の通信内容基盤の能動的情報提供のためのサーバー。
【請求項２４】
前記発話上特徴は、単語の言及回数、音の大きさ、発音速度、及び発音正確度のうちで少なくとも一つを含むことを特徴とする請求項２３に記載の通信内容基盤の能動的情報提供のためのサーバー。
【請求項２５】
前記情報抽出部は、該当通信内容のうちで勧誘形、命令形、または行為を伴わなければならない特定単語が含まれた構文を基礎で前記通信者の関心事情報を抽出することを特徴とする請求項１６に記載の通信内容基盤の能動的情報提供のためのサーバー。
【請求項２６】
使用者端末で遂行する方法であり、
(ａ)日程、アップ、音声メモ、関心事情報、及び連絡先のうちで少なくともいずれか一つをカテゴリー別に区分して、加入者本人及び通信相対方のうちで少なくとも一つの通信内容から抽出された通信者の関心事情報、日程関連情報、加入者住所録内の名前情報に対応する住所録情報、加入者端末内のアップと関連された第１情報、及び前記第１情報に対応する一つ以上のアップ駆動アイコンのうちで少なくともいずれか一つを前記区分されたカテゴリー別に表示するための段階を含む通信内容基盤の能動的情報提供のための方法。
【請求項２７】
(ｂ)前記表示された日程関連情報を日程に反映して記憶するための段階をさらに含むことを特徴とする請求項２６に記載の通信内容基盤の能動的情報提供のための方法。
【請求項２８】
(ｃ)前記記憶された日程関連情報が既に記憶された日程情報と重複される場合、該当重複日程に対するアラームを提供する段階をさらに含むことを特徴とする請求項２７に記載の通信内容基盤の能動的情報提供のための方法。
【請求項２９】
(d)前記表示されたアップ駆動アイコンの選択時に該当アップを駆動するための段階をさらに含むことを特徴とする請求項２６に記載の通信内容基盤の能動的情報提供のための方法。
【請求項３０】
前記段階(ａ)は、通信者の関心事情報、日程関連情報、加入者住所録内の名前情報に対応する住所録情報、加入者端末内のアップと関連された第１情報、及び前記その第１情報に対応する一つ以上のアップ駆動アイコンのうちで少なくともいずれか一つを、前記加入者の通信相対方情報とマッチングして表示することを特徴とする請求項２６に記載の通信内容基盤の能動的情報提供のための方法。
【請求項３１】
前記通信相対方情報は、住所録、または通話目録にある相手方の情報を含むことを特徴とする請求項３０に記載の通信内容基盤の能動的情報提供のための方法。
【請求項３２】
(e)通信者の関心事情報、日程関連情報、加入者住所録内の名前情報に対応する住所録情報、加入者端末内のアップと関連された第１情報、及び前記第１情報に対応する一つ以上のアップ駆動アイコンのうちで少なくともいずれか一つを、該当通信中または該当通信完了直後に使用者の選択によって、または自動で該当サーバーから受信するための段階をさらに含んで、
前記段階(ａ)は、前記段階(e)で前記該当サーバーから該当情報を受信した直後、その受信した該当情報を表示することを特徴とする請求項２６に記載の通信内容基盤の能動的情報提供のための方法。
【請求項３３】
(f)前記表示された日程関連情報を使用者の選択によって編集または修正するための段階をさらに含むことを特徴とする請求項２６に記載の通信内容基盤の能動的情報提供のための方法。
【請求項３４】
前記日程関連情報は、時間(Time)、場所(Place)、及び日程(Occasion、Event)名のうちで一つ以上を含むことを特徴とする請求項２６に記載の通信内容基盤の能動的情報提供のための方法。
【請求項３５】
前記住所録情報は、該当名前、電話番号、及び写真のうちで少なくとも一つ以上を含むことを特徴とする請求項２６に記載の通信内容基盤の能動的情報提供のための方法。
【請求項３６】
前記段階(ａ)は、前記住所録情報と共に通話連結ボタン、メッセージ送信ボタン、及び共有ボタンのうちで少なくとも一つ以上を表示することを特徴とする請求項２６に記載の通信内容基盤の能動的情報提供のための方法。
【請求項３７】
(g)前記加入者の通信時または前もって前記加入者住所録内の名前情報、または前記加入者端末内に設置されたアップ情報を該当サーバーに伝送するための段階をさらに含むことを特徴とする請求項２６に記載の通信内容基盤の能動的情報提供のための方法。
【請求項３８】
前記表示された通信者の関心事情報は、該当通話内容のうちで発話上特徴が既設定された基準に符合する単語を含むことを特徴とする請求項２６に記載の通信内容基盤の能動的情報提供のための方法。
【請求項３９】
前記発話上特徴は、単語の言及回数、音の大きさ、発音速度、及び発音正確度のうちで少なくとも一つを含むことを特徴とする請求項３８に記載の通信内容基盤の能動的情報提供のための方法。
【請求項４０】
前記表示された通信者の関心事情報は、該当通話内容のうちで勧誘形、命令形、または行為を伴わなければならない特定単語が含まれた構文を含むことを特徴とする請求項２６に記載の通信内容基盤の能動的情報提供のための方法。
【請求項４１】
サーバーで遂行する方法であり、
(ａ)日程、アップ、音声メモ、関心事情報、及び連絡先のうちで少なくともいずれか一つをカテゴリー別に区分して、加入者本人及び通信相対方のうちで少なくとも一つの通信内容から、通信者の関心事情報、日程関連情報、加入者住所録内の名前情報に対応する住所録情報、加入者端末内のアップと関連された第１情報、及び前記第１情報に対応する一つ以上のアップ駆動アイコンに対する第２情報のうちで少なくともいずれか一つを前記区分されたカテゴリー別に抽出するための段階と、及び
(ｂ)前記段階(ａ)で抽出された該当情報を前記加入者の端末に提供するための段階と、を含むことを特徴とする通信内容基盤の能動的情報提供のための方法。
【請求項４２】
(ｃ)加入者の通信時、または前もって該当加入者住所録内の名前情報、または該当加入者端末内に設置されたアップ情報を獲得するための段階をさらに含むことを特徴とする請求項４１に記載の通信内容基盤の能動的情報提供のための方法。
【請求項４３】
(d)前記加入者の通信終了時前記獲得された名前情報、またはアップ情報を削除するための段階をさらに含むことを特徴とする請求項４１に記載の通信内容基盤の能動的情報提供のための方法。
【請求項４４】
前記段階(ｂ)は、前記段階(ａ)を通じて抽出された情報を前記加入者の通信相対方情報とマッチングして前記加入者の端末に提供することを特徴とする請求項４１に記載の通信内容基盤の能動的情報提供のための方法。
【請求項４５】
前記通信相対方情報は、前記加入者の端末の住所録、または通話目録にある相手方の情報を含むことを特徴とする請求項４４に記載の通信内容基盤の能動的情報提供のための方法。
【請求項４６】
前記段階(ｂ)は、前記段階(ａ)を通じて抽出された情報を該当通信中、または該当通信完了直後使用者の選択によってまたは自動で前記加入者の端末に提供するためのものであることを特徴とする請求項４１に記載の通信内容基盤の能動的情報提供のための方法。
【請求項４７】
前記日程関連情報は、時間(Time)、場所(Place)、及び日程名のうちで一つ以上を含むことを特徴とする請求項４１に記載の通信内容基盤の能動的情報提供のための方法。
【請求項４８】
前記段階(ｂ)は、該当通話内容のうちで発話上特徴が既設定された基準に符合する単語を基礎で前記通信者の関心事情報を抽出することを特徴とする請求項４１に記載の通信内容基盤の能動的情報提供のための方法。
【請求項４９】
前記発話上特徴は、単語の言及回数、音の大きさ、発音速度、及び発音正確度のうちで少なくとも一つを含むことを特徴とする請求項４８に記載の通信内容基盤の能動的情報提供のための方法。
【請求項５０】
前記段階(ｂ)は、該当通信内容のうちで勧誘形、命令形、または行為を伴わなければならない特定単語が含まれた構文を基礎で前記通信者の関心事情報を抽出することを特徴とする請求項４１に記載の通信内容基盤の能動的情報提供のための方法。
【請求項５１】
自分及び相対方のうちで少なくとも一つの通話内容から抽出された通話者の関心事情報を相対方情報とマッチングして表示するための表示部を含むことを特徴とする通信内容基盤の能動的情報提供のための端末。
【請求項５２】
加入者本人または通信相対方のうちで少なくとも一つの通信内容から抽出された日程関連情報を表示するための日程表示部と、及び
前記表示された日程関連情報を日程に反映して記憶するための日程反映部を含むことを特徴とする通信内容基盤の能動的情報提供のための端末。
【請求項５３】
加入者本人または通信相対方のうちで少なくとも一つの通信内容から抽出された加入者住所録内の名前情報を獲得するための情報獲得部と、及び
前記獲得された名前情報に対応する住所録情報を前記加入者住所録から抽出して表示するための情報表示部を含むことを特徴とする通信内容基盤の能動的情報提供のための端末。
【請求項５４】
加入者本人または通信相対方のうちで少なくとも一つの通信内容から抽出された加入者端末内のアップと関連された第１情報に対応する一つ以上のアップ駆動アイコンを表示するためのアップ表示部と、及び
前記表示されたアップ駆動アイコンの選択時に該当アップを駆動するためのアップ駆動部を含むことを特徴とする通信内容基盤の能動的情報提供のための端末。
【請求項５５】
加入者の通話内容を基礎で通話者の関心事情報を抽出するための情報抽出部と、及び
前記抽出された通話者の関心事情報を前記加入者の通話相対方情報とマッチングして前記加入者の端末に提供するための情報提供部を含むことを特徴とする通信内容基盤の能動的情報提供のためのサーバー。
【請求項５６】
加入者の通信内容から日程関連情報を抽出するための情報抽出部と、及び
前記抽出された日程関連情報を前記加入者の端末に提供するための情報提供部を含むことを特徴とする通信内容基盤の能動的情報提供のためのサーバー。
【請求項５７】
加入者の通信時に該当加入者住所録内の名前情報を獲得するための情報獲得部と、
前記加入者の通信内容から前記獲得された名前情報を抽出するための情報抽出部と、及び
前記抽出された名前情報を前記加入者の端末に提供するための情報提供部と、を含むことを特徴とする通信内容基盤の能動的情報提供のためのサーバー。
【請求項５８】
加入者の通信内容からアップ情報と関連された第１情報を抽出して、その抽出された第１情報に対応するアップ駆動アイコンに対する第２情報を抽出するための情報抽出部と、及び
前記抽出された第１または第２情報を前記加入者の端末に提供するための情報提供部と、を含むことを特徴とする通信内容基盤の能動的情報提供のためのサーバー。
【請求項５９】
使用者端末で遂行する方法であり、
自分及び相対方のうちで少なくとも一つの通話内容を基礎に抽出された通話者の関心事情報を相対方情報とマッチングして表示することを特徴とする通信内容基盤の能動的情報提供のための方法。
【請求項６０】
端末で遂行する方法であり、
(ａ)加入者の通信内容から抽出された日程関連情報を表示するための段階と、及び
(ｂ)前記表示された日程関連情報を日程に反映して記憶するための段階と、を含むことを特徴とする通信内容基盤の能動的情報提供のための方法。
【請求項６１】
端末で遂行する方法であり、
(ａ)加入者本人または通信相対方のうちで少なくとも一つの通信内容から抽出された加入者住所録内の名前情報を獲得するための段階と、及び
(ｂ)前記段階(ａ)で獲得された名前情報に対応する住所録情報を前記加入者住所録から抽出して表示するための段階と、を含むことを特徴とする通信内容基盤の能動的情報提供のための方法。
【請求項６２】
端末で遂行する方法であり、
(ａ)加入者本人または通信相対方のうちで少なくとも一つの通信内容から抽出された加入者端末内のアップと関連された第１情報に対応する一つ以上のアップ駆動アイコンを表示するための段階と、及び
(ｂ)前記表示されたアップ駆動アイコンの選択時に該当アップを駆動するための段階と、を含むことを特徴とする通信内容基盤の能動的情報提供のための方法。
【請求項６３】
サーバーで遂行する方法であり、
(ａ)加入者の通話内容を基礎で通話者の関心事情報を抽出するための段階と、及び
(ｂ)前記抽出された通話者の関心事情報を前記加入者の相対方情報とマッチングして前記加入者の端末に提供するための段階と、を含むことを特徴とする通信内容基盤の能動的情報提供のための方法。
【請求項６４】
サーバーで遂行する方法であり、
(ａ)加入者の通信内容から日程関連情報を抽出するための段階と、及び
(ｂ)前記抽出された日程関連情報を前記加入者の端末に提供するための段階と、を含むことを特徴とする通信内容基盤の能動的情報提供のための方法。
【請求項６５】
サーバーで遂行する方法であり、
(ａ)加入者の通信時に該当加入者住所録内に記憶された名前情報を獲得するための段階と、
(ｂ)前記加入者の通信内容から前記獲得された名前情報を抽出するための段階と、及び
(ｃ)前記段階(ｂ)で抽出された名前情報を前記加入者の端末に提供するための段階と、を含むことを特徴とする通信内容基盤の能動的情報提供のための方法。
【請求項６６】
サーバーで遂行する方法であり、
(ａ)加入者の通信内容からアップ情報と関連された第１情報を抽出して、その抽出された第１情報に対応するアップ駆動アイコンに対する第２情報を抽出するための段階と、及び
(ｂ)前記抽出された第１または第２情報を前記加入者の端末に提供するための段階と、を含むことを特徴とする通信内容基盤の能動的情報提供のための方法。
【請求項６７】
請求項２６乃至請求項５０及び請求項５９乃至請求項６６のうちでいずれか一つの前記通信内容基盤の能動的情報提供のための方法をコンピューターで実行させるためのプログラムを記録したコンピューターで読める記録媒体。
【発明の詳細な説明】
【技術分野】
【０００１】
本発明は、通話中で音声認識を基盤で通話内容を分析して通話者に必要な情報を能動的に抽出して提供することができるようにする技術に関するものである。
【背景技術】
【０００２】
スマトフォンで音声認識は、さまざまな方法で応用されて使われて来た。アイフォーンは音声命令機能を提供して、アップ実行など簡単な命令を音声で実行するようにしたし、グーグルは音声でウェブ検索ができるサービスを提供した。
【０００３】
以外にも使用者の音声の入力を受けて他の言語で言い表す翻訳アプリケーションや使用者の音程が正しいか検査してくれるアプリケーションらも音声認識技術を利用した例であると見られる。
【０００４】
このようなうちで、‘シリ’の登場は、音声認識技術の新しい跳躍を提示した。シリ(Ｓｉｒｉ:Speech Interpretation and Recognition Interface)は、アップルで提供する音声認識サービスで２０１１年アイフォーン４Ｓに初めて登場した。元々は、軍事用で開発されたＣＡＬＯプロジェクトの一部サービスが常用化されながら開発されたものであり、アイフォーン３ＧＳにアプリケーションで初めて提供されて、多くの人気を享受していながら２０１０年４月アップルでシリを独占に引き受けて、現在のアップルのシリが誕生するようになった。シリの特徴は、単純に音声を認識するものではなく、多様なアプリケーションと連動してすべての作業を一回の音声命令で解決するようにしたし、学習認識機能を提供して使用者の声を学習して認識率を高める機能も提供しているし、特に、対話処理を利用したデータベースセンターを土台に多くの多様な質疑に対する返事をすることができるアルゴリズムを取り揃えているという点である。また、シリが特に人気を呼んだ理由は、人と話し合うように自由な表現が可能であるという点であった。既存の音声認識サービスらが指定された形態の文章で言ってこそ成功的に認識されたことに比べれば優に驚きべき発展であると言える。
【０００５】
以後、三星電子のＳボイス、ＬＧ電子のＱボイス、ペンテックのスマートボイスなど音声認識サービスらが登場して、より便利にスマトフォンを利用することができる環境が設けられている中である。
【０００６】
しかし、前述した既存の音声認識サービスらは音声命令による端末制御(例えば、音声命令による通話連結、アラーム、日程管理、メール/文字発送など)、音声命令に従って使用者が疑問にするような事項に対する検索支援(例えば、ウェブブラウザー連結など)のような機能に特化されているために、使用者の命令による受動的動作に基盤しているという限界点がある。
【発明の概要】
【発明が解決しようとする課題】
【０００７】
本発明は、前述した従来の限界点を解決するためのものであり、通話中で音声認識を基盤に通話内容を分析して、通話者に必要な情報を能動的に抽出して提供できるようにするための主な目的を有することである。
【０００８】
本発明の一目的は、通話中で音声認識を基盤で通話内容を分析して、通話者の関心事を能動的に抽出して提供できるようにする、通信内容基盤の能動的情報提供のための端末、サーバー、方法、及び記録媒体を提供することである。
【０００９】
本発明の他の目的は、通信内容を分析して日程関連単語/文章を能動的に抽出して提供し、通話者の日程に反映するようにする、通信内容基盤の能動的情報提供のための端末、サーバー、方法、及び記録媒体を提供することである。
【００１０】
本発明のまた他の目的は、加入者の住所録を基盤で通信内容を分析して通話中に言及された名前に対応する住所録の関連情報を提供するようにする、通信内容基盤の能動的情報提供のための端末、サーバー、方法、及び記録媒体を提供することである。
【００１１】
本発明のまた他の目的は、加入者の通信内容からアップと関連される情報を能動的に抽出して提供し、対応するアップを該当加入者の端末で直ちに駆動することができるようにする、通信内容基盤の能動的情報提供のための端末、サーバー、方法、及び記録媒体を提供することである。
【課題を解決するための手段】
【００１２】
前述した目的を達成するために、本発明の一側面による通信内容基盤の能動的情報提供のための端末、またはその端末で遂行する方法は、日程、アップ、音声メモ、関心事情報、及び連絡先のうちで少なくとも一つをカテゴリー別に区分して、加入者本人及び通信相対方のうちで少なくとも一つの通信内容から抽出された通信者の関心事情報、日程関連情報、加入者住所録内の名前情報に対応する住所録情報、加入者端末内のアップと関連された第１情報、及び前記第１情報に対応する一つ以上のアップ駆動アイコンのうちで少なくとも一つを前記区分されたカテゴリー別に表示するための表示部、または段階(ａ)を含んで、前記表示された日程関連情報を日程に反映して記憶するための日程反映部または段階(ｂ)と、前記日程反映部または前記段階(ｂ)を通じて記憶された日程関連情報が既に記憶された日程情報と重複される場合、該当重複日程に対するアラームを提供するアラーム部、または段階(ｃ)と、前記表示部または前記段階(ａ)を通じて表示されたアップ駆動アイコンの選択時、該当アップを駆動するためのアップ駆動部、または段階(ｄ)と、通信者の関心事情報、日程関連情報、加入者住所録内の名前情報に対応する住所録情報、加入者端末内のアップと関連された第１情報、及び前記第１情報に対応する一つ以上のアップ駆動アイコンのうちで少なくとも一つを、該当通信中でまたは該当通信完了直後使用者の選択によって、または自動で該当サーバーから受信するための受信部、または段階(ｅ)と、前記表示部または前記段階(ａ)を通じて表示された日程関連情報を使用者の選択によって編集または修正するための日程修正部、または段階(ｆ)と、及び前記加入者の通信時または前もって前記加入者住所録内の名前情報、または前記加入者端末内に設置されたアップ情報を該当サーバーに伝送するための伝送部または段階(ｇ)と、のうちで少なくとも一つ以上をさらに含むことができる。
【００１３】
前記表示部または前記段階(ａ)は、通信者の関心事情報、日程関連情報、加入者住所録内の名前情報に対応する住所録情報、加入者端末内のアップと関連された第１情報、及び前記第１情報に対応する一つ以上のアップ駆動アイコンのうちで少なくとも一つを、前記加入者の通信相対方情報とマッチングして表示することができるし、前記通信相対方情報は住所録、または通話目録にある相手方の情報を含むことができる。前記表示部または前記段階(ａ)は、前記段階(ｅ)で前記該当サーバーから該当情報を受信した直後、その受信した該当情報を表示することができる。
【００１４】
前述した目的を達成するために、本発明の他の側面による通信内容基盤の能動的情報提供のためのサーバー、またはそのサーバーで遂行する方法は、日程、アップ、音声メモ、関心事情報、及び連絡先のうちで少なくとも一つをカテゴリー別に区分して、加入者本人及び通信相対方のうちで少なくとも一つの通信内容から、通信者の関心事情報、日程関連情報、加入者住所録内の名前情報に対応する住所録情報、加入者端末内のアップと関連された第１情報、及び前記第１情報に対応する一つ以上のアップ駆動アイコンに対する第２情報のうちで少なくとも一つを前記区分されたカテゴリー別に抽出するための情報抽出部、または段階(ａ)と、及び前記情報抽出部または段階(ａ)から抽出された該当情報を前記加入者の端末に提供するための情報提供部、または段階(ｂ)を含むことができるし、加入者の通信時または前もって該当加入者住所録内の名前情報、または該当加入者端末内に設置されたアップ情報を獲得するための情報獲得部、または段階(ｃ)と、及び前記加入者の通信終了時に前記獲得された名前情報、またはアップ情報を削除するための情報削除部、または段階(ｄ)のうちで少なくとも一つをさらに含むことができる。
【００１５】
前記情報提供部、または段階(ｂ)は前記情報抽出部、または段階(ａ)を通じて抽出された情報を前記加入者の通信相対方の情報とマッチングして前記加入者の端末に提供することができるし、前記通信相対方情報は前記加入者の端末の住所録、または通話目録にある相手方の情報を含むことができる。
【００１６】
前記情報提供部、または段階(ｂ)は前記情報抽出部、または段階(ａ)を通じて抽出された情報を該当通信中または該当通信完了直後に使用者の選択によって、または自動で前記加入者の端末に提供することができる。
【００１７】
前述した目的を達成するために本発明のまた他の側面による通信内容基盤の能動的情報提供のための端末は、自分及び相対方のうちで少なくとも一つの通話内容から抽出された通話者の関心事情報を相対方情報とマッチングして表示するための表示部を含むことができる。
【００１８】
前述した目的を達成するために本発明のまた他の側面による通信内容基盤の能動的情報提供のための端末は、加入者本人または通信相対方のうちで少なくとも一つの通信内容から抽出された日程関連情報を表示するための日程表示部と、及び前記表示された日程関連情報を日程に反映して記憶するための日程反映部を含むことができる。
【００１９】
前述した目的を達成するために本発明のまた他の側面による通信内容基盤の能動的情報提供のための端末は、加入者本人または通信相対方のうちで少なくとも一つの通信内容から抽出された加入者住所録内の名前情報を獲得するための情報獲得部と、及び前記獲得された名前情報に対応する住所録情報を前記加入者住所録から抽出して表示するための情報表示部と、を含むことができる。
【００２０】
前述した目的を達成するために本発明のまた他の側面による通信内容基盤の能動的情報提供のための端末は、加入者本人または通信相対方のうちで少なくとも一つの通信内容から抽出された加入者端末内のアップと関連された第１情報に対応する一つ以上のアップ駆動アイコンを表示するためのアップ表示部と、及び前記表示されたアップ駆動アイコンの選択時に該当アップを駆動するためのアップ駆動部を含むことができる。
【００２１】
前述した目的を達成するために本発明のまた他の側面による通信内容基盤の能動的情報提供のためのサーバーは、加入者の通話内容を基礎で通話者の関心事情報を抽出するための情報抽出部と、及び前記抽出された通話者の関心事情報を前記加入者の通話相対方情報とマッチングして前記加入者の端末に提供するための情報提供部を含むことができる。
【００２２】
前述した目的を達成するために本発明のまた他の側面による通信内容基盤の能動的情報提供のためのサーバーは、加入者の通信内容から日程関連情報を抽出するための情報抽出部と、及び前記抽出された日程関連情報を前記加入者の端末に提供するための情報提供部と、を含むことができる。
【００２３】
前述した目的を達成するために本発明のまた他の側面による通信内容基盤の能動的情報提供のためのサーバーは、加入者の通信時に該当加入者住所録内の名前情報を獲得するための情報獲得部と、前記加入者の通信内容から前記獲得された名前情報を抽出するための情報抽出部と、及び前記抽出された名前情報を前記加入者の端末に提供するための情報提供部と、を含むことができる。
【００２４】
前述した目的を達成するために本発明のまた他の側面による通信内容基盤の能動的情報提供のためのサーバーは、加入者の通信内容からアップ情報と関連された第１情報を抽出して、その抽出された第１情報に対応するアップ駆動アイコンに対する第２情報を抽出するための情報抽出部と、及び前記抽出された第１または第２情報を前記加入者の端末に提供するための情報提供部と、を含むことができる。
【００２５】
前述した目的を達成するために本発明のまた他の側面による通信内容基盤の能動的情報提供のための方法は、使用者端末で遂行する方法であり、自分及び相対方のうちで少なくとも一つの通話内容を基礎に抽出された通話者の関心事情報を相対方情報とマッチングして表示する段階を含むことができる。
【００２６】
前述した目的を達成するために本発明のまた他の側面による通信内容基盤の能動的情報提供のための方法は、端末で遂行する方法であり、(ａ)加入者の通信内容から抽出された日程関連情報を表示するための段階と、及び(ｂ)前記表示された日程関連情報を日程に反映して記憶するための段階と、を含むことができる。
【００２７】
前述した目的を達成するために本発明のまた他の側面による通信内容基盤の能動的情報提供のための方法は、端末で遂行する方法であり、(ａ)加入者本人または通信相対方のうちで少なくとも一つの通信内容から抽出された加入者住所録内の名前情報を獲得するための段階と、及び(ｂ)前記段階(ａ)で獲得された名前情報に対応する住所録情報を前記加入者住所録から抽出して表示するための段階と、を含むことができる。
【００２８】
前述した目的を達成するために本発明のまた他の側面による通信内容基盤の能動的情報提供のための方法は、端末で遂行する方法であり、(ａ)加入者本人または通信相対方のうちで少なくとも一つの通信内容から抽出された加入者端末内のアップと関連された第１情報に対応する一つ以上のアップ駆動アイコンを表示するための段階と、及び(ｂ)前記表示されたアップ駆動アイコンの選択時に該当アップを駆動するための段階と、を含むことができる。
【００２９】
前述した目的を達成するために本発明のまた他の側面による通信内容基盤の能動的情報提供のための方法は、サーバーで遂行する方法であり、(ａ)加入者の通話内容を基礎で通話者の関心事情報を抽出するための段階と、及び(ｂ)前記抽出された通話者の関心事情報を前記加入者の相対方情報とマッチングして前記加入者の端末に提供するための段階と、を含むことができる。
【００３０】
前述した目的を達成するために本発明のまた他の側面による通信内容基盤の能動的情報提供のための方法は、サーバーで遂行する方法であり、(ａ)加入者の通信内容から日程関連情報を抽出するための段階と、及び(ｂ)前記抽出された日程関連情報を前記加入者の端末に提供するための段階と、を含むことができる。
【００３１】
前述した目的を達成するために本発明のまた他の側面による通信内容基盤の能動的情報提供のための方法は、サーバーで遂行する方法であり、(ａ)加入者の通信時に該当加入者住所録内に記憶された名前情報を獲得するための段階と、(ｂ)前記加入者の通信内容から前記獲得された名前情報を抽出するための段階と、及び(ｃ)前記段階(ｂ)で抽出された名前情報を前記加入者の端末に提供するための段階と、を含むことができる。
【００３２】
前述した目的を達成するために本発明のまた他の側面による通信内容基盤の能動的情報提供のための方法は、サーバーで遂行する方法であり、(ａ)加入者の通信内容からアップ情報と関連された第１情報を抽出して、その抽出された第１情報に対応するアップ駆動アイコンに対する第２情報を抽出するための段階と、及び(ｂ)前記抽出された第１または第２情報を前記加入者の端末に提供するための段階と、を含むことができる。
【００３３】
前述した目的を達成するために本発明のまた他の側面によれば、前述したところのように端末、またはサーバーで遂行する通信内容基盤の能動的情報提供のための多様な方法をコンピューターで実行させるためのプログラムを記録したコンピューターで読める記録媒体が提供されることができる。
【発明の効果】
【００３４】
以上で説明したところのように本発明の一側面によれば、通話中に音声認識を基盤で通話内容を分析して、加入者の関心事を能動的に抽出して提供することができる。本発明によれば、音声/映像通話及びチャットなどのような通信時に能動的に動作するという点で既存サービスらとの差があって、また参加者らの対話内容を基盤で関心事を自動にキャッチする能動的動作に基盤しているという点で使用者が願う機能を口に出す場合に動作した既存音声認識サービスとは差別性がある。
【００３５】
本発明によれば音声認識ソリューションと状況認知ソリューションを土台に、対話参加字間の発話上特徴が既設定された基準に符合する単語を基礎で主要キーワード、または関心分野に対するキーワードを導出してくれて使用者は対話中、または対話終了後に該当キーワードを活用して再び照会することができる。また、通話/対話内容のうちで勧誘形、命令形、または行為を伴わなければならない特定単語らが含まれた場合該当文章をテキスト(text)化して、To-do listで生成して、使用者端末内の連関されたアップ(App)を呼んで来て願う機能を利用するようにすることによって、使用者が別途に整理する必要がない便宜性を提供する。
【００３６】
また、通話相対方と通話中、または通話終了後キーワード基盤検索結果を共有する場を提供して対話参加者ら間の意思決定を手伝う便宜性を提供する。
【００３７】
また、通話内容のうちで抽出された情報をログ化して、去る通話目録のキーワード照会だけで、当時の通話内容を思い起して再活用するようにして、使用者に楽しみまで提供することができる。また、本発明によれば、音声通話/映像通話/チャット終了後、別途にインターネットブラウザーを駆動して検索するか、または別途のアップを通じて自分が願う内容を入力した手続きを簡素化して通話中、または終了後にも使用者が願うところ(検索、メモ、予約過程など)を自動で提供して活用するようにして、利用者の便宜性を極大化することができる。
【００３８】
また、本発明によれば、通話結果をライフログ(life log)化してコンテンツで利用することによって、また他の社会的楽しさを提供することができる。
【００３９】
以上で説明したところのように本発明の他の側面によれば、音声通話、映像通話、チャット、メッセージングサービスのような通信中に参加者らの対話内容を基盤で日程関連情報を自動にキャッチする能動的動作に基盤しているという点で使用者が願う機能を口に出す場合のみに動作した既存の音声認識サービスとは差別性がある。すなわち、また音声認識ソリューションと状況認知ソリューションを基盤で顧客が口に出した内容のうちで日程に反映可能な時間、場所、日程などの関連単語、または文章を自動で抽出して通話中または終了後にすぐ日程に反映することができるように支援することができる効果がある。よって、通話さえすれば自ら分かって日程が整理されるので、顧客は通話中にメモ/整理作業を別にしなくても日程を管理することができる便利さを感じることができる。
【００４０】
以上で説明したところのように本発明のまた他の側面によれば、音声通話、映像通話、チャット、メッセージングサービスのような通信中に参加者らの対話内容から住所録に記憶された名前情報を自動にキャッチする能動的動作に基盤しているという点で使用者が願う機能を口に出す場合のみに動作した既存の音声認識サービスとは差別性がある。
【００４１】
また、音声認識ソリューションと状況認知ソリューションを基盤で顧客が口に出した内容のうちで住所録に記憶された人の名前を言及時に抽出して通話中/終了後すぐ抽出された名前の電話番号などの住所録情報を表示して提供するか、または表示された情報を通信相手方に適用して、すぐ通信連結可能にすることができる。よって、通話さえすれば通話中/通話終了後に連絡、共有、確認が必要な友達情報を別に検索する必要なしにすぐ利用することができるために顧客の便宜性を向上させる効果がある。
【００４２】
以上で説明したところのように本発明のまた他の側面によれば、音声通話、映像通話、チャット、メッセージングサービスのような通信中参加者らの対話内容から使用者の端末内に設置されたアップと関連された情報を自動にキャッチする能動的動作に基盤しているという点で使用者が願う機能を口に出す場合のみに動作した既存の音声認識サービスとは差別性がある。
【００４３】
また、音声認識ソリューションと状況認知ソリューションを基盤で顧客が口に出した内容のうちで、使用者端末の特定アプリケーション(アップ)ですることができることなどを言及時にこれを抽出して通話中、または終了後すぐ関連されたアップらのリストを提供して使用者がすぐ使用できるようにする。したがって、通話中/通話終了後にすべきことのうちで、いちいち使用者端末内に設置された該当アプリケーション(アップ)を捜す必要なしに、すぐ利用することができるために顧客の便宜性を向上させる効果がある。
【図面の簡単な説明】
【００４４】
【図１】本発明の実施例による通信内容基盤の能動的情報提供のためのシステムの構成図である。
【図２】本発明の第１実施例による通信内容基盤の能動的情報提供のための端末の構成図である。
【図３】本発明の第１実施例による通信内容基盤の能動的情報提供のためのサーバーの構成図である。
【図４】本発明の第１実施例による使用者端末で遂行する通信内容基盤の能動的情報提供のための方法の流れ図である。
【図５】本発明の第１実施例によるサービスサーバーで遂行する通信内容基盤の能動的情報提供のための方法の流れ図である。
【図６】本発明の第１実施例による使用者端末での主要キーワード情報の表示画面を示した図面である。
【図７】本発明の第１実施例による使用者端末での関心目録情報の表示画面を示した図面である。
【図８】本発明の第１実施例による使用者端末でのTo-do list情報表示画面を示した図面である。
【図９】本発明の第２実施例による通信内容基盤の能動的情報提供のための端末の構成図である。
【図１０】本発明の第２実施例による通信内容基盤の能動的情報提供のためのサーバーの構成図である。
【図１１】本発明の第２実施例によって端末で遂行する通信内容基盤の能動的情報提供のための方法の流れ図である。
【図１２】本発明の第２実施例によってサーバーで遂行する通信内容基盤の能動的情報提供のための方法の流れ図である。
【図１３】本発明の第２実施例によって端末の画面に表示される日程関連情報の一例を示した図面である。
【図１４】本発明の第２実施例によって端末に表示される日程関連情報を編集/修正する画面の一例を示した図面である。
【図１５】本発明の第２実施例によって端末の画面に表示される日程リストの一例を示した図面である。
【図１６】本発明の第３実施例による通信内容基盤の能動的情報提供のための端末の構成図である。
【図１７】本発明の第３実施例による通信内容基盤の能動的情報提供のためのサーバーの構成図である。
【図１８】本発明の第３実施例によって端末で遂行する通信内容基盤の能動的情報提供のための方法の流れ図である。
【図１９】本発明の第３実施例によってサーバーで遂行する通信内容基盤の能動的情報提供のための方法の流れ図である。
【図２０】本発明の第３実施例によって端末に表示される画面の一例を示した図面である。
【図２１】本発明の第４実施例による通信内容基盤の能動的情報提供のための端末の構成図である。
【図２２】本発明の第４実施例による通信内容基盤の能動的情報提供のためのサーバーの構成図である。
【図２３】本発明の第４実施例によって端末で遂行する通信内容基盤の能動的情報提供のための方法の流れ図である。
【図２４】本発明の第４実施例によってサーバーで遂行する通信内容基盤の能動的情報提供のための方法の流れ図である。
【図２５】本発明の第４実施例によって端末に表示される画面の一例を示した図面である。
【図２６】本発明の第１乃至第４実施例を統合したサービス提供時に使用者端末に表示されるＵＩ(User Interface)画面の一例を示した図面である。
【図２７】本発明の第１実施例による使用者端末での通話中の実行画面を説明するための図面である。
【図２８】同じく、本発明の第１実施例による使用者端末での通話中の実行画面を説明するための図面である。
【図２９】同じく、本発明の第１実施例による使用者端末での通話中の実行画面を説明するための図面である。
【図３０】同じく、本発明の第１実施例による使用者端末での通話中の実行画面を説明するための図面である。
【図３１】同じく、本発明の第１実施例による使用者端末での通話中の実行画面を説明するための図面である。
【図３２】同じく、本発明の第１実施例による使用者端末での通話中の実行画面を説明するための図面である。
【図３３】同じく、本発明の第１実施例による使用者端末での通話中の実行画面を説明するための図面である。
【図３４】同じく、本発明の第１実施例による使用者端末での通話中の実行画面を説明するための図面である。
【図３５】同じく、本発明の第１実施例による使用者端末での通話中の実行画面を説明するための図面である。
【図３６】同じく、本発明の第１実施例による使用者端末での通話中の実行画面を説明するための図面である。
【図３７】同じく、本発明の第１実施例による使用者端末での通話中の実行画面を説明するための図面である。
【発明を実施するための形態】
【００４５】
以下、添付図面を参照して本発明の実施例に対して具体的に説明する。各図面の構成要素らに参照符号を付け加えることにおいて、同一な構成要素らに対してはたとえ他の図面上に表示されても、できるだけ同一な符号を有するようにする。また、本発明の実施例に対する説明時に関連される公知構成または機能に対する具体的な説明が本発明の要旨を濁ごすことがあると判断される場合には、その詳細な説明は略する。
【００４６】
図１は、本発明の実施例による通信内容基盤の能動的情報提供のためのシステムの構成図であり、同図面に示されたところのように、通信網１０、端末Ａ２０Ａ、端末Ｂ２０Ｂ、及びサーバー３０を含むことができる。
【００４７】
通信網１０は、端末Ａ２０Ａ、端末Ｂ２０Ｂ、及びサーバー３０の間を有線、無線及び/またはインターネットなどで連結して、音声通話、映像通話、チャット-メッセージングサービス(ＳＭＳ、ＭＭＳ、ＳＮＳなど)のような通信ができるようにする単独または複合のどのような網でも良い。
【００４８】
端末Ａ２０Ａと端末Ｂ２０Ｂのうちで一つは発信使用者の端末を示して、他の一つは相対方受信使用者の端末を示したものであり、例えば、音声通信、映像通信、データ通信、及びインターネット通信などが可能な移動通信端末機、ＰＤＡ、スマートフォン、タブレットＰＣなどのうちで一つであることがある。本実施例で発/受信端末２０Ａ、２０Ｂの使用者のうちで少なくとも一人は、該当サービスの加入者であることがある。
【００４９】
端末Ａ２０Ａと端末Ｂ２０Ｂは、日程、アップ、音声メモ、関心事情報、または連絡先などでカテゴリーを区分して、加入者本人及び通信相対方のうちで少なくとも一つの通信内容から抽出された通信者の関心事情報、日程関連情報、加入者住所録内の名前情報に対応する住所録情報、加入者端末内のアップと関連された第１情報、及びその第１情報に対応する一つ以上のアップ駆動アイコンのうちで少なくとも一つをサーバー３０から受信して、その受信された各種情報を区分されたカテゴリー別に表示することができる。
【００５０】
サーバー３０は、端末Ａ２０Ａと端末Ｂ２０Ｂとの間の通信内容を音声認識ソリューション機能及び状況認知ソリューション機能などを通じて日程、アップ、音声メモ、関心事情報、または連絡先などでカテゴリーを区分して分析し、その分析結果によって通信内容から通信者の関心事情報、日程関連情報、加入者住所録内の名前情報に対応する住所録情報、加入者端末内のアップと関連された第１情報、及びその第１情報に対応する一つ以上のアップ駆動アイコンに対する第２情報のうちで少なくとも一つ以上を区分されたカテゴリー別に抽出することができるし、その抽出された各種情報を該当加入者端末(２０Ａまたは２０Ｂ)に伝達することができる。
【００５１】
図２は、本発明の第１実施例による通信内容基盤の能動的情報提供のための端末の構成図であり、図１の端末Ａ２０Ａまたは端末Ｂ２０Ｂの詳細構成の一例であり、同図面に示されたところのように、表示部２１、検索部２３、及びTo-do list実行部２５を含むことができる。第１実施例では端末Ａ２０Ａを基準に説明するようにする。
【００５２】
表示部２１は加入者である自分の端末Ａ２０Ａと相対方端末Ｂ２０Ｂとの間の通話内容で自分及び相対方のうちで少なくとも一つの通話内容を基礎でサーバー３０から抽出された通話者の関心事情報としての主要キーワード情報、To-do list(しなければならないリスト)情報、及び主要関心目録情報などを使用者の選択によって選択的に受信して画面に表示するためのものであり、例えば、図６に示されたところのようにTalk！トーク検索メニューが選択されれば、通話内容基盤の主要キーワード情報(ex．江南駅、おいしい店、前売りなど)をサーバー３０から受信して相対方情報とマッチングして画面に表示し、図７に示されたところのように関心目録メニューが選択されれば、通話内容基盤の関心目録情報(ex．江南駅、おいしい店、映画前売りなど)をサーバー３０から受信して相対方情報とマッチングして画面に表示して、図８に示されたところのようにTo-doメニューが選択されれば通話内容基盤のTo-do list情報(ex．土曜日見る映画前売りしてなど)をサーバー３０から受信して相対方情報とマッチングして画面に表示することができる。
【００５３】
一例で、サーバー３０は加入者端末Ａ２０Ａに対して通話相対方である端末Ｂ２０Ｂの使用者が本実施例によるサービス加入者ではない場合、加入者端末Ａ２０Ａ使用者の音声通話内容を分析して通話者の関心事情報を抽出して、その抽出された通話者の関心事情報を加入者端末Ａ２０Ａに提供して、この時加入者端末Ａ２０Ａの表示部２１は、サーバー３０から提供された通話者の関心事情報を通話相手方の情報とマッチングして表示する。
【００５４】
他の例で、サーバー３０は加入者端末Ａ２０Ａに対して通話相対方である端末Ｂ２０Ｂの使用者も本実施例によるサービス加入者の場合、加入者端末Ａ２０Ａ使用者の音声通話内容と相対方端末Ｂ２０Ｂ使用者の音声通話内容を同時に分析して通話者の関心事情報を抽出して、その抽出された通話者の関心事情報を加入者端末Ａ２０Ａに提供して、この時加入者端末Ａ２０Ａの表示部２１はサーバー３０から提供された通話者の関心事情報を通話相手方の情報とマッチングして表示する。この場合、サーバー３０は前述したところのように抽出された通話者の関心事情報を加入者端末Ｂ２０Ｂからの選択によって加入者端末Ｂ２０Ｂにも提供することができるし、この時加入者端末Ｂ２０Ｂの表示部２１はサーバー３０から提供された通話者の関心事情報を通話相対方情報、すなわち、端末Ａ２０Ａ使用者の情報とマッチングして表示することができる。
【００５５】
前述したところのように第１実施例による表示部２１は、サーバー３０から提供された通話者の関心事情報を通話相対方情報とマッチングして表示することができるが、ここで通話相対方情報は該当加入者端末の住所録、または通話目録にある通話相手方の情報であることができる。
【００５６】
第１実施例で図６のように画面表示された主要キーワード情報、または図７のように画面表示された主要関心目録情報は、該当通話内容のうちで言及回数、音の大きさ、速度、または発音正確度などのような発話上特徴が既設定された基準に符合する単語で構成されることができるが、表示部２１は一例で該当単語の発話上特徴を基礎で該当単語の表示順位を調整して表示(ex．図６-７で１．江南駅、２．おいしい店、３．前売り、４．チキンなどのように発話上特徴の枝数が多いキーワード順序で表示)するか、または他の例で該当単語の発話上特徴を基礎で該当単語の字色、字模様、または字大きさを調整して表示するか、または字周辺イメージの大きさ、模様、色相を調整することができる。
【００５７】
また、第１実施例で図８のように画面表示されたTo-do list情報は、該当通話内容のうちで勧誘形、命令形、または行為を伴わなければならない特定単語が含まれた構文で構成されることができる。
【００５８】
第１実施例による表示部２１は、一例で通話中に使用者の選択によって主要キーワード情報、To-do list情報、及び主要関心目録情報のうちで選択された一つの情報を既設定された時間間隔でサーバー３０から実時間受信して画面に更新表示するか、または他の例で通話完了後使用者の選択によって通話内容から抽出されてログ記憶された主要キーワード情報、To-do list情報、及び主要関心目録情報のうちで選択された一つの情報をサーバー３０から受信して画面に表示することができる。
【００５９】
第１実施例による検索部２３は、表示部２１によって表示された通話者の関心事情報としての主要キーワード情報、または関心目録情報のうちで使用者から選択されたキーワードを基礎でインターネット検索道具(例えば、ウェブブラウザー及びインターネットポータル)を自動実行して該当詳細情報を検索することができる。
【００６０】
第１実施例によるTo-do list実行部２５は、表示部２１によって表示されたTo-do list情報のうちで使用者から選択された一つの情報を基礎に連関されたアップ(APP)を実行させて通話内容に含まれた使用者がすべきこと、例えば日程整理、メモ、住所録整理、前売りなどを実行することができる。
【００６１】
図３は、本発明の第１実施例による通信内容基盤の能動的情報提供のためのサーバーの構成図であり、図１のサーバー３０の詳細構成の一例であって、同図面に示されたところのように、情報抽出部３１、情報記憶部３３、及び情報提供部３５を含むことができる。
【００６２】
第１実施例による情報抽出部３１は、通話内容を基礎で主要キーワード情報、To-do list情報、及び主要関心目録情報などを含む通話者の関心事情報を抽出するためのものであり、例えば、該当通話内容のうちで言及回数、音の大きさ、速度、または発音正確度などの発話上特徴が既設定された基準に符合する単語を基礎で主要キーワード情報、または主要関心目録情報を抽出することができるし、このように抽出された主要キーワード情報、または主要関心目録情報は、該当単語の発話上特徴に対する情報を含むか、または該当単語の発話上特徴に対する情報によって端末での表示順位を整列することができる。
【００６３】
情報抽出部３１は、一例で発/受信両側通話者のうちで一方の加入者端末Ａ２０Ａに対して通話相対方である端末Ｂ２０Ｂの使用者が本実施例によるサービス加入者ではない場合、加入者端末Ａ２０Ａ使用者のみの音声通話内容を分析して通話者の関心事情報を抽出することができるし、他の例で加入者端末Ａ２０Ａに対して通話相対方である端末Ｂ２０Ｂの使用者も本実施例によるサービス加入者の場合、加入者端末Ａ２０Ａ使用者の音声通話内容と相対方加入者端末Ｂ２０Ｂ使用者の音声通話内容を同時に分析して通話者の関心事情報を抽出することができる。
【００６４】
発話上特徴に対する情報は、例えば、通話者の関心事情報で抽出された特定キーワード(単語)に対する発話上特徴の枝数と種類(例えば、言及回数、音の大きさ、速度、または発音正確度のうちで何種類のどのような発話上特徴を有したか)、及び/または発話上特徴の程度(例えば、繰り返し何回、音の大きさ程度、発音正確度程度など)に対する情報を含むことができる。
【００６５】
第１実施例による情報記憶部３３は、情報抽出部３１で抽出された通話者の関心事情報としての主要キーワード情報、To-do list情報、及び主要関心目録情報などをログ記憶するためのものであり、別途のクラウドサーバーなどで構成することができる。
【００６６】
第１実施例による情報提供部３５は、情報抽出部３１で実時間抽出されるか、または情報記憶部３３にログ記憶された主要キーワード情報、To-do list情報、及び主要関心目録情報のうちで端末から選択された一つの情報を該当端末に提供するためのものであり、一例で通話中に使用者の選択によって実時間通話内容から抽出された主要キーワード情報、To-do list情報、及び主要関心目録情報のうちで端末から選択された一つの情報を通話中に既設定された時間間隔で該当端末に通話相対方の情報とマッチングして提供すると、または他の例で通話完了後に情報記憶部３３にログ記憶された主要キーワード情報、To-do list情報、及び主要関心目録情報のうちで端末から選択された一つの情報を該当端末に通話相対方情報とマッチングして提供することができる。
【００６７】
図４は、本発明の第１実施例による使用者端末で遂行する通信内容基盤の能動的情報提供のための方法の流れ図であり、図１-２の端末Ａ２０Ａまたは端末Ｂ２０Ｂに適用されるので、該当端末の動作と並行して説明する。
【００６８】
先ず、表示部２１は通話者の関心事情報としての主要キーワード情報、To-do list情報、及び関心目録情報のうちでどの情報が使用者から選択されるかを判断するが、例えば、表示部２１画面の一部に表示された主要キーワード情報に対応するTalk!トーク検索メニュー、To-do list情報に対応するTo-do listメニュー、及び関心目録情報に対応する関心目録メニューのうちで、ある一つのメニューが使用者から選択されるかどうかの可否を判断して(Ｓ４０１)、段階Ｓ４０１の判断結果、図６のようにTalk!トーク検索メニューが選択されれば、サーバー３０から主要キーワード情報を受信して通話相対方情報とマッチングして表示して、図７のように関心目録メニューが選択されればサーバー３０から関心目録情報を受信して通話相対方情報にマッチングして表示して、図８のようにTo-do listメニューが選択されれば、サーバー３０からTo-do list情報を受信して通話相対方情報にマッチングして表示するが、一例でメニューの選択時点が通話中ならサーバー３０から実時間抽出される該当情報を一定時間間隔(おおよそ１０秒)で受信して更新表示することができるし、他の例でメニューの選択時点が通話完了後ならサーバー３０にログ記憶された該当情報を受信して表示することができる(Ｓ４０３)。
【００６９】
引き継いで、段階Ｓ４０３で表示された主要キーワード情報、または関心目録情報で特定単語が選択されれば(Ｓ４０５)、その選択された単語をキーワードで検索を実行して検索結果を表示して(Ｓ４０７)、段階Ｓ４０３で表示されたTo-do list情報で特定情報及び関連アップ(APP)が選択されれば(Ｓ４０９)、その選択されたTo-do list情報の内容によって関連アップが駆動されて通話内容中に含まれたすべきことを実行するようにする(Ｓ４１１)。
【００７０】
図５は、本発明の第１実施例によるサービスサーバーで遂行する通信内容基盤の能動的情報提供のための方法の流れ図であり、図１、３のサーバー３０に適用されるので、該当サーバー３０の動作と並行して説明する。
【００７１】
先ず、端末Ａ２０Ａと端末Ｂ２０Ｂとの間の通話が始まれば(Ｓ５０１)、通話内容から主要キーワード情報、To-do list情報、及び関心目録情報を含む通話者の関心事情報を実時間抽出する(Ｓ５０２)。
【００７２】
引き継いで、端末Ａ２０Ａまたは端末Ｂ２０Ｂから主要キーワード情報に対応するTalk!トーク検索メニュー、To-do list情報に対応するTo-do listメニュー、及び関心目録情報に対応する関心目録メニューのうちで、ある一つのメニューが選択されるかどうかの可否を確認して(Ｓ５０３)、選択されたメニューに対応する実時間抽出情報(通話者の関心事情報)を通話相対方情報とマッチングして一定時間間隔(例えば、おおよそ１０秒)で該当端末に実時間伝送して提供する(Ｓ５０５)。
【００７３】
一方、段階Ｓ５０２で実時間抽出された情報はログ記憶されて(Ｓ５１１)、該当通話完了後端末Ａ２０Ａまたは端末Ｂ２０Ｂからログ照会要請されて、主要キーワード情報に対応するTalk!トーク検索メニュー、To-do list情報に対応するTo-do listメニュー、及び関心目録情報に対応する関心目録メニューのうちで、ある一つのメニューが選択されれば(Ｓ５１３)、選択されたメニューに対応する情報を通話相対方情報とマッチングして該当端末に提供する(Ｓ５１５)。
【００７４】
本実施例でログ記憶とは、該当通話者、実時間通話内容のうちで抽出された通話者の関心事情報、及び通話日時などをお互いにマッチングして記憶することを示す。
【００７５】
一方、本発明の他の実施例によれば、図３を参照に前述したところのように具現されたサーバー３０のすべての構成３１、３３、３５は、図２の使用者端末(２０Ａまたは２０Ｂ)内に同一に具現することができるし、この場合サーバー３０なしにサーバー３０の機能が含まれた使用者端末(２０Ａまたは２０Ｂ)の単独構成だけで図４及び図５を参照して前述した第１実施例による方法をすべて実行することができる。
【００７６】
以後、説明の便宜のために、本発明の第１実施例によるサービスを一名マインドトック(Mindtalk)と称するようにする。
【００７７】
図６は、本発明の第１実施例による使用者端末(２０Ａ、２０Ｂ)での主要キーワード情報の表示画面を示した図面であり、図６の(ａ)は通話中Talk!トーク検索メニューの選択時画面の一例を示して、図６の(ｂ)は通話終了後Talk!トーク検索メニューの選択時画面の一例を示す。
【００７８】
マインドトックは、図６の(ａ)のように通話中に実行が可能であり、図６の(ｂ)のようにマインドトックは通話終了後にもマインドトックを閉めない状態でマインドトックのすべての機能を使用することができる。但し、通話終了後には関心目録、通話主要キーワード、To-do listは取り交わした音声が不在であるので、データは更新されない。通話終了後再び通話するを押せば、相手方に通話が実行されて、現在マインドトックログに新規通話ログが加えられる(別途ログ生成ではない)。
【００７９】
図６でＢ領域は、タイトルバー領域を示すが、ＯＯＯ(名前)様とのMindtalkで構成されながら、名前は通話相手方に従って流動的に変わる。マインドトック閉じるボタンを右側に配置する。マインドトック閉じるボタンは、マインドトック実行を終了するという意味であり、選択するからといって通話は終わらない。
【００８０】
図６のＣ領域は、アクションバー領域を示すが、関心目録、Talk!トーク検索、To-doのようなメニューで構成されてTalk!トーク検索がメインである。特定メニュー選択時に選択されたメニューの下に下端アウトラインが現われて実行中であることを見せてくれる。
【００８１】
図６のＤ領域は、通話主要キーワード(情報)が表示される領域であり、一定期間１０秒を周期にキーワードがDisplay更新(生成、削除、手順、大きさなどテーマ別に異なる)されることができるし、タグクラウド、実時間ランキング型、脳構造テーマなどでも提供することができる。特定キーワードクリック時にウェブ検索で連結されることができるし、ロングタップ時にキーワード削除が可能であり、キーワードはマインドトックアップ>設定>代表キーワード単語フィルターで露出制限単語を追加/修正/削除することができる。キーワードは、例えば総３０個まで露出することができる。
【００８２】
図６のＥ領域は、キーワード組合検索窓を示す領域であり、通話主要キーワードでキーワードを検索窓でドラッグ/ドロップ(Drag & Drop)して一つ以上のキーワードを組合/整列して検索することができる。キーワード組合時に空欄を長くクリックすれば、新規キーワード入力窓を生成することができる。キーワード窓にあるキーワードは、削除または編集/修正可能である。
【００８３】
図６のＦ領域は、通話メニューを示した領域であり、図６の(ａ)のように通話中にはスピーカーフォン、画面転換、通話終了などのメニューが表示されて、(ｂ)のように通話終了後には、ＶｏＬＴＥ通話、映像通話などのメニューが表示されることができる。
【００８４】
図７は、本発明の第１実施例による使用者端末での関心目録情報の表示画面を示した図面である。
【００８５】
図７のＣ領域は、アクションバー領域であり、関心目録メニュー選択時にバー該当メニューの下に下端アウトラインが現われて実行中であることを見せてくれる。
【００８６】
図７のＤ領域は、関心目録情報としてのキーワード及び連関検索語領域を示すものであり、図７の(ａ)のようにキーワードはTalk!トーク検索内の露出されたキーワードであり、キーワードを選択すれば該当キーワードと連関された検索語リストが提供されて、連関検索語文章を選択すればウェブブラウザーが実行されて該当連関検索語の検索結果が図７の(ｂ)のように画面提供される。キーワードは削除が可能である。
【００８７】
図８は、本発明の第１実施例による使用者端末でのTo-do list情報表示画面を示した図面である。
【００８８】
図８のＤ領域は、アクションボタンが現われた領域であり、To-do list情報と連関された多様なアップ(Ａｐｐ．)ボタンが整列されているし、フリック(Flick)を通じて右側に隠された他のボタン確認が可能である。＋を押して他のアクションボタンを追加/削除することができる。アクションボタンをdrop & dragで通話内容基盤To-do listに下げて特定の一つ上にあげれば、＋ボタン上にアクションボタンイメージが加えられて、該当アクションボタンの機能が実行される。一例で、メモボタンを‘江南駅のおいしい店予約して’上にdrop & dragすればＯＥＭメモが実行されて、‘江南駅のおいしい店予約して’が自動入力される。他の例で、住所録ボタンを‘０１０-８０８０-４０３８’上にdrop & dragすれば、ＯＥＭ住所録が実行されて、該当番号が記憶される。また他の例で、チケットプラネットボタン(App)を‘土曜日に見る映画を前売りして’上にdrop & dragすれば、チケットプラネットが実行される。
【００８９】
図８のＥ領域は、通話内容基盤To do list情報が表示された領域であり、例えば、チェックボックス、すべきことの文章、＋ボタンで構成されることができる。通話内容の音声で抽出したすべきことリストで対話内容のうちで命令形/勧誘形/特定単語(例:〜すべきこと、〜しなければならない、〜しよう、準備、共有など)などの言及時に文章をテキスト(text)に変換して見せてくれる。特定単語はキーワードを追加/修正/削除可能である。text前のチェックボックス選択時、すべきことtextがlistから削除されるようにすることができる。
【００９０】
図９は、本発明の第２実施例による通信内容基盤の能動的情報提供のための端末の構成図であり、図１の端末Ａ２０Ａまたは端末Ｂ２０Ｂの詳細構成の一例であって、同図面に示されたところのように、情報受信部９２１、日程表示部９２３、日程反映部９２５、日程修正部９２７、及びアラーム部９２９を含むことができる。
【００９１】
情報受信部９２１は、使用者(加入者)本人または相対方のうちで少なくとも一つの通信内容から抽出された日程関連情報を該当通信中、または通信完了後に該当サーバー３０から受信するためのものであり、日程関連情報の受信時点は使用者が選択するか、または自動で受信されるようにすることができる。
【００９２】
本実施例で日程関連情報は、時間(Time)、場所(Place)、及び日程(Occasion；Event)名のうちで一つ以上を含むことができる。
【００９３】
日程表示部９２３は、情報受信部９２１を通じて受信された日程関連情報を発話時間順序に整列して、加入者の通信相対方情報とマッチングして画面上に表示するためのものであり、例えば、図１３に示されたところのように画面の上端に通信相対方情報が‘スジ様とのMindTalk’のように表示されて、その下の各種関連アップ(日程、アラーム、メモ、メッセージなど)を使用することができるアップアイコンが表示されて、また受信された日程関連情報としての時間(日付け情報、時間情報)、場所名(江南駅など)、日程名(合コンなど)が表示されることができる。
【００９４】
一例で、‘明日６時に江南駅で会おう’のような通信内容から時間情報として“今日の日付基準(５/２０)+１日＝５月２１日、６時＝午後６時”、場所情報として“場所名＝江南駅”、日程名として“会おう->出会い”のような日程関連情報を抽出して表示することができる。日程関連情報の抽出はサーバー３０で遂行することに限定されないで、端末でも遂行することができるであろう。
【００９５】
日程反映部９２５は日程表示部９２３を通じて前述したところのように画面上に表示された日程関連情報を日程に反映して記憶するためのものであり、例えば、使用者によって特定ボタンが選択されるか、または自動でその整列表示された日程関連情報を端末にあるスケジュール(日程)アップまたはメモアップなどに反映して記憶することができる。
【００９６】
日程修正部９２７は日程表示部９２３を通じて前述したところのように画面上に表示された日程関連情報を使用者の選択によって編集または修正するためのものであり、例えば、図１４の(ａ)のように‘場所’欄の選択時に場所と関連されて抽出されたキーワード(江南駅、新村など)が発話手順の最新順序で下に整列されて表示されて、図１４の(ｂ)のように‘江南駅’が選択されれば該当場所欄に江南駅が自動で入力されるようにすることができる。前述した方式で日付と時間に対する情報及び日程名なども編集または修正可能であろうが、これに限定されないでテキストを直接該当欄に入力する方式でも該当情報を編集/修正することができる。
【００９７】
アラーム部９２９は日程反映部９２５を通じて記憶された日程関連情報が既に記憶された日程情報と重複される場合に該当重複日程に対するアラームを提供するためのものであり、使用者はアラーム部９２９を通じて日程の重複可否が分かって、該当重複日程の情報を日程修正部９２７を通じて編集または修正した後日程反映部９２５を通じて再び記憶することができる。
【００９８】
図１０は、本発明の第２実施例による通信内容基盤の能動的情報提供のためのサーバーの構成図であり、図１のサーバー３０の詳細構成図の一例であり、同図面に示されたところのように、情報抽出部１０３１、情報記憶部１０３３、及び情報提供部１０３５を含むことができる。
【００９９】
情報抽出部１０３１は通信内容を基礎に日程関連情報を含む各種情報を抽出するためのものであり、例えば、加入者の通信中に該当通信内容のうちで時間(Time)、場所(Place)、または日程(Occasion；Event)名などと関連される単語、または文章を日程関連情報で抽出することができる。
【０１００】
一例で、‘明日６時に江南駅で会おう’のような通信内容から時間情報として“今日の日付基準(５/２０)+１日＝５月２１日、６時＝午後６時”、場所情報として“場所名＝江南駅”、日程名として“会おう->出会い”のような日程関連情報を抽出することができる。
【０１０１】
情報抽出部１０３１は、一例で発/受信両側通信者のうちで一方の加入者端末Ａ２０Ａに対して通話相対方である端末Ｂ２０Ｂの使用者が第２実施例によるサービス加入者ではない場合、加入者端末Ａ２０Ａ使用者のみの音声通話内容を分析して日程関連情報を抽出することができるし、他の例で加入者端末Ａ２０Ａに対して通話相対方である端末Ｂ２０Ｂの使用者も第２実施例によるサービス加入者の場合、加入者端末Ａ２０Ａ使用者の音声通話内容と相対方加入者端末Ｂ２０Ｂ使用者の音声通話内容を同時に分析して、通話者の日程関連情報を抽出することができる。
【０１０２】
情報記憶部１０３３は情報抽出部１０３１から抽出された日程関連情報をログ記憶するためのものであり、別途のクラウドサーバーなどで構成することができる。
【０１０３】
情報提供部１０３５は情報抽出部１０３１から実時間抽出されるか、または情報記憶部１０３３にログ記憶された日程関連情報を使用者の選択によって、または自動で該当端末に提供するためのものであり、一例で通話中に実時間通話内容から抽出された日程関連情報を通話中に既設定された時間間隔で該当端末に通話相対方情報とマッチングして提供すると、または他の例で通話完了後情報記憶部１０３３にログ記憶された日程関連情報を該当端末に通話相対方情報とマッチングして提供することができる。
【０１０４】
図１１は、本発明の第２実施例によって端末で遂行する通信内容基盤の能動的情報提供のための方法の流れ図であり、図１、図９の端末Ａ２０Ａまたは端末Ｂ２０Ｂに適用されるので、該当端末の動作と並行して説明する。
【０１０５】
先ず、情報受信部９２１は相対方端末との通信中または通信後使用者の選択によってサーバー３０に日程関連情報を要請して(Ｓ１１０１)、サーバー３０から該当する日程関連情報を受信して、日程表示部９２３は受信された日程関連情報を図１３に示されたところのように画面上に表示する(Ｓ１１０３)。
【０１０６】
一方、日程修正部９２７は段階Ｓ１１０３で日程表示部９２３を通じて画面上に表示された日程関連情報が使用者の選択によって図１４の(ａ)(ｂ)に対する前述した説明のように修正または編集されるかどうかの可否を判断して、使用者からの修正/編集があれば該当修正/編集過程を遂行する(Ｓ１１０５)。
【０１０７】
引き継いで、日程反映部９２５は使用者の選択によって、または自動で段階Ｓ１１０３で画面上に表示された日程関連情報を日程/スケジュールアップまたはメモアップなどのように日程と関連されるアップに反映して記憶するが、仮に段階Ｓ１１０５で日程修正部９２５を通じて日程関連情報が修正または編集されたら、その修正または編集された日程関連情報を端末の関連アップに反映して記憶し、仮に段階Ｓ１１０５で日程関連情報が修正または編集されなかったら、段階Ｓ１１０３で画面上に表示された日程関連情報を端末の関連アップに反映して記憶するようにする(Ｓ１１０７)。
【０１０８】
また、アラーム部９２９は段階Ｓ１１０７で日程反映部９２５を通じて関連アップに記憶された日程(関連)情報が既に記憶された日程(関連)情報と時間、場所、及び日程名のうちで少なくとも一つに対して重複されるかどうかの可否を確認して、仮に重複されたら重複情報を使用者に知らせた後段階Ｓ１１０５の過程に戻って該当日程関連情報を修正または編集して再び記憶するようにして、重複されなかったらそのまま終了するようにする(Ｓ１１０９)。
【０１０９】
一方、使用者が日程/スケジュールアップを通じて特定日付の日程を検索すれば、日程表示部２３２３は図１５に示されたところのように該当日付の全体日程リストを通信相手方の情報と共に時間順序に整列して見せてくれることができる。
【０１１０】
図１２は、本発明の第２実施例によってサーバーで遂行する通信内容基盤の能動的情報提供のための方法の流れ図であり、図１、図１０のサーバー３０に適用されるので、該当サーバー３０の動作と並行して説明する。
【０１１１】
先ず、端末Ａ２０Ａと端末Ｂ２０Ｂとの間の通信(音声通信またはメッセージ通信など)が始まれば(Ｓ１２０１)、一方または両方の通信内容から日程関連情報を実時間抽出する(Ｓ１２０３)。
【０１１２】
引き継いで、端末Ａ２０Ａまたは端末Ｂ２０Ｂから日程関連情報の要請があると、または設定された周期によってまたは実時間で段階Ｓ１２０３から抽出された日程関連情報を通信相対方情報とマッチングして該当端末に伝送して提供する(Ｓ１２０５〜Ｓ１２０７)。
【０１１３】
一方、段階Ｓ１２０３で実時間抽出された日程関連情報はログ記憶されて(Ｓ１２１１)、該当通話完了後端末Ａ２０Ａまたは端末Ｂ２０Ｂからログイン(log-in)されて、日程関連情報に対する照会要請があれば(Ｓ１２１３)、記憶された該当日程関連情報を通信相対方情報とマッチングして該当端末に提供する(Ｓ１２１５)。
【０１１４】
本発明の他の実施例によれば、図１０を参照して前述したところのように具現されたサーバー３０のすべての構成１０３１、１０３３、１０３５は、図９の使用者端末(２０Ａまたは２０Ｂ)内に同一に具現することができるし、この場合サーバー３０なしにサーバー３０の機能が含まれた使用者端末(２０Ａまたは２０Ｂ)の単独構成だけで図１１及び図１２を参照して前述した本発明の第２実施例による通信内容基盤の能動的情報提供のための方法をすべて実行することができる。
【０１１５】
図１６は、本発明の第３実施例による通信内容基盤の能動的情報提供のための端末の構成図であり、図１の端末Ａ２０Ａまたは端末Ｂ２０Ｂの詳細構成の一例を示して、同図面に示されたところのように、情報伝送部１６２１、情報獲得部１６２３、及び情報表示部１６２５を含むことができる。
【０１１６】
情報伝送部１６２１は、使用者(加入者)の通信時加入者(端末)住所録内に記憶された名前情報をサーバー３０に伝送するためのものであり、例えば、発信通話または着信通話が始まれば、住所録に記憶された友達、家族、仲間などの名前情報を抽出して、その抽出された名前情報をサーバー３０に伝送する。
【０１１７】
情報獲得部１６２３は加入者本人または通信相対方のうちで少なくとも一つの通信内容から抽出された加入者(端末)住所録内の名前情報を獲得するためのものであり、例えば、該当通信中または通信完了後使用者(加入者)本人または相対方のうちで少なくとも一つの通信内容から抽出された加入者(端末)住所録内の名前情報をサーバー３０から受信して獲得することができるが、該当名前情報の受信時点は使用者が選択するか、または自動で受信されるようにすることができる。
【０１１８】
情報表示部１６２５は情報獲得部１６２３を通じて獲得された名前情報に対応する住所録情報を加入者住所録から抽出して表示するためのものであり、情報獲得部１６２３がサーバー３０から該当名前情報を受信して獲得した直後該当名前、電話番号、及び写真などが含まれた住所録情報を住所録から抽出して、その抽出された住所録情報を加入者の通信相対方情報とマッチングして画面上に表示することができる。
【０１１９】
また、情報表示部１６２５は住所録情報を表示する時に表示された該当名前を着信相手方にして音声信号を発信するための通話連結ボタン、メッセージ信号を発信するためのメッセージ送信ボタン、及び表示された住所録情報を願うチャンネルを通じて他人に伝送して共有するための共有ボタンなどを共に表示することができる。
【０１２０】
情報表示部１６２５は、例えば図２０に示されたところのように、画面の上端に通信相対方情報としての相対方名前と電話番号を‘ペ・スジ０１０-８０８０-４０３８’のように表示して、その下の通話中に言及された人物(名前)数の情報を‘通話中に言及人物が２人います。’のように表示して、言及された各人物(名前)に対するプロピル写真、名前、電話番号などの住所録基盤情報を表示して、また、通話連結ボタン、メッセージ送信ボタン、共有ボタンなどを表示して使用者に提供することができる。共有ボタン選択時に表示された友達名前と電話番号などの情報を願うチャンネルを通じて伝送して、他の人々と共有することができる。
【０１２１】
したがって、使用者は通話中、または通話終了後に通話中に言及された知人の名前、電話番号などの住所録情報をすぐ確認することができるし、確認された情報を基礎に該当知人にすぐ連絡するか、または該当知人の住所録情報を他人と共有することができる。
【０１２２】
図１７は、本発明の第３実施例による通信内容基盤の能動的情報提供のためのサーバーの構成図であり、図１のサーバー３０の詳細構成の一例を示して、同図面に示されたところのように、情報獲得部１７３１、情報抽出部１７３３、情報提供部１７３５、及び情報削除部１７３７を含むことができる。
【０１２３】
情報獲得部１７３１は加入者の通信時に該当加入者(端末)住所録内の名前情報を獲得するためのものであり、例えば、加入者の通信開始時に加入者の端末(２０Ａまたは２０Ｂ)から伝送された住所録内の名前情報を受信/獲得して保有することができる。
【０１２４】
情報抽出部１７３３は加入者の通信内容から情報獲得部１７３１を通じて獲得された住所録内の名前情報を抽出するためのものであり、加入者の通信中に該当通信内容から住所録内の名前情報を基礎で該当名前情報(すなわち、通信中に言及された住所録内の名前情報)を抽出することができる。
【０１２５】
例えば、通信中の加入者の住所録内に‘ヒョリ’、‘スヒョン’などの名前情報があると仮定すれば、情報抽出部１７３３は“ヒョリの電話番号通話が終わって知らせてくれる”のような通信内容から言及された名前情報‘ヒョリ’を抽出して、“スヒョンに電話して見る”のような通信内容から言及された名前情報‘スヒョン’を抽出することができる。
【０１２６】
情報抽出部１７３３は、一例で発/受信両側通信者のうちで一方の加入者端末Ａ２０Ａに対して通話相対方である端末Ｂ２０Ｂの使用者が本実施例によるサービス加入者ではない場合加入者端末Ａ２０Ａ使用者のみの音声通話内容を分析して言及された名前情報を抽出することができるし、他の例で加入者端末Ａ２０Ａに対して通話相対方である端末Ｂ２０Ｂの使用者も本実施例によるサービス加入者の場合加入者端末Ａ２０Ａ使用者の音声通話内容と相対方加入者端末Ｂ２０Ｂ使用者の音声通話内容を同時に分析して言及された名前情報を抽出することができる。
【０１２７】
情報提供部１７３５は情報抽出部１７３３を通じて抽出された名前情報を加入者の端末(２０Ａ及び/または２０Ｂ)に提供するためのものであり、加入者端末(２０Ａ及び/または２０Ｂ)使用者の選択によって、または自動で該当端末に該当名前情報を提供することができる。
【０１２８】
情報提供部１７２５は、一例で通話中に実時間通話内容から抽出された該当名前情報を通話相対方情報とマッチングして該当端末に実時間で提供することができるし、他の例で通話完了後記憶された該当名前情報を使用者の選択によって、または自動で該当端末に通話相対方情報とマッチングして提供することができるが、提供時点は前述した例に限定されないで多様な変形が可能であろう。
【０１２９】
情報削除部１７３７は選択的に具備して加入者の通信終了時に情報獲得部１７３１を通じて獲得された該当名前情報を削除するためのものであり、例えば、加入者の通話開始時に情報獲得部１７３１を通じて該当加入者の住所録内の名前情報を獲得して保有していながら、該当通話が終われば保有した該当名前情報を情報削除部１７３７を通じて削除することでサーバー３０の記憶負荷を減らすことができる。
【０１３０】
図１８は、本発明の第３実施例によって端末で遂行する通信内容基盤の能動的情報提供のための方法の流れ図であり、図１、図１６の端末Ａ２０Ａまたは端末Ｂ２０Ｂに適用されるので、該当端末の動作と並行して説明する。
【０１３１】
先ず、情報伝送部１６２１は相対方端末との通信が始まれば(Ｓ１８０１)、該当加入者の住所録内に記憶された名前情報を抽出してサーバー３０に送りながら該当通信内容に対する音声認識を要請する(Ｓ１８０３)。
【０１３２】
引き継いで、情報獲得部１６２３はサーバー３０で通信内容から抽出された名前情報、すなわち、通信中に言及された住所録内の名前情報をサーバー３０から受信して獲得する(Ｓ１８０５)。
【０１３３】
最後に、情報表示部１６２５は情報獲得部１６２３を通じて獲得された名前情報に対応する住所録情報を住所録から抽出して、その抽出された住所録情報を加入者の通信相対方情報とマッチングして画面上に表示するが、例えば、図２０に示されたところのように、情報獲得部１６２３がサーバー３０から該当名前情報(通話中に言及された住所録内の人物の名前情報)を受信して獲得した直後該当人物の名前、電話番号、及び写真などが含まれた住所録情報を住所録から抽出して、その抽出された住所録情報及び該当人物と関連されて通信するための各種通信ボタン(通話連結ボタン、メッセージ送信ボタン、共有ボタンなど)を加入者の通信相対方情報とマッチングして画面上に表示することができる(Ｓ１８０７)。
【０１３４】
図１９は、本発明の第３実施例によってサーバーで遂行する通信内容基盤の能動的情報提供のための方法の流れ図であり、図１、図１７のサーバー３０に適用されるので、該当サーバー３０の動作と並行して説明する。
【０１３５】
先ず、端末Ａ２０Ａと端末Ｂ２０Ｂとの間の通信(音声、メッセージ、またはＳＮＳなどの通信)が始まれば(Ｓ１９０１)、情報獲得部１７３１は加入者端末(２０Ａ及び/または２０Ｂ)の情報伝送部１６２１から伝送された加入者(端末)住所録内の名前情報を受信する(Ｓ１９０３)。
【０１３６】
引き継いで、情報抽出部１７３３は段階Ｓ１９０３で受信された住所録内の名前情報を基礎で一方または両方の通信内容から通信中言及された住所録内の名前情報を実時間抽出する(Ｓ１９０５)。
【０１３７】
引き継いで、情報提供部１７３５は段階Ｓ１９０５で情報抽出部１７３３を通じて抽出された名前情報を加入者端末(２０Ａ及び/または２０Ｂ)から該当情報の要請があると、または設定された周期によって、または実時間で通信相対方情報とマッチングして該当加入者端末(２０Ａ及び/または２０Ｂ)に伝送して提供する(Ｓ１９０７)。
【０１３８】
一方、情報削除部１７３７は段階Ｓ１９０１で始まった加入者の通信終了時(Ｓ１９０９)情報獲得部１７３１を通じて獲得された該当名前情報を選択的に削除することができる(Ｓ１９１１)。
【０１３９】
図２１は、本発明の第４実施例による通信内容基盤の能動的情報提供のための端末の構成図であり、図１の端末Ａ２０Ａまたは端末Ｂ２０Ｂの詳細構成の一例であり、同図面に示されたところのように、情報伝送部２１２１、情報受信部２１２３、アップ表示部２１２５、及びアップ駆動部２１２７を含むことができる。
【０１４０】
情報伝送部２１２１は使用者(加入者)の通信時、または前もって加入者端末内に設置されたアップ情報をサーバー３０に伝送するためのものであり、一例で発信通話または着信通話が始まれば該当端末内に設置されたアップのリストを抽出して、その抽出されたアップ(リスト)情報をサーバー３０に伝送するか、または他の例で通信時または前もって(例えば、加入者端末内アップ設置内容に変更がある場合)該当端末内に設置されたアップのリストを抽出して、その抽出されたアップ(リスト)情報をサーバー３０に伝送することができる。
【０１４１】
また、情報伝送部２１２１は通信内容を実時間録音して、その録音された音声ファイルをサーバー３０に伝送することができる。
【０１４２】
情報受信部２１２３は加入者本人、または通信相対方のうちで少なくとも一つの通信内容から抽出された加入者端末内のアップと関連された第１情報、またはその第１情報に対応する一つ以上のアップ駆動アイコンに対する第２情報をサーバー３０から受信するためのものであり、例えば、該当通信中または通信完了後使用者(加入者)本人または相対方のうちで少なくとも一つの通信内容から抽出されたアップと関連された第１情報、またはアップ駆動アイコンに対する第２情報をサーバー３０から受信して獲得することができるが、該当第１、２情報の受信時点は使用者が選択するか、または自動で受信されるようにすることができる。
【０１４３】
アップ表示部２１２５は、情報受信部２１２３を通じて獲得されたアップと関連された第１情報の該当単語/文章またはアップ駆動アイコンに対する第２情報の該当アップ駆動アイコンを画面上に表示するためのものであり、例えば、情報受信部２１２３がサーバー３０から該当する第１、２情報を受信した直後該当する単語/文章またはアップ駆動アイコンを加入者の通信相対方情報とマッチングして画面上に表示することができる。
【０１４４】
アップ表示部２１２５は、例えば、図２５に示されたところのように、画面の上端に通信相対方情報としての相対方名前と電話番号を‘ペ・スジ０１０-８０８０-４０３８’のように表示して、その下の点線のボックス内の画面のように自分の端末内に設置されたアップと関連された通話内容(すなわち、第１情報)として“通話が終わって文字伝送する”を表示して、該当通話内容(第１情報)に対応するアップ駆動アイコンとして文字を伝送することができるＳＭＳ/ＭＭＳメッセージアイコン、カトックアイコンなどを表示することができる。
【０１４５】
アップ駆動部２１２７は、アップ表示部２１２５を通じて表示されたアップ駆動アイコンの選択時に該当アップを駆動するためのものであり、例えば、通話中、または通話終了後に通話中に言及されたアップ関連情報に対応する単語/文章及び該当アップ駆動アイコンがアップ表示部２１２５を通じて画面上に表示されて、使用者が必要なアップを選択すればアップ駆動部２１２７は該当アップを直ちに駆動することができる。
【０１４６】
図２２は、本発明の第４実施例による通信内容基盤の能動的情報提供のためのサーバーの構成図であり、図１のサーバー３０の詳細構成の一例であり、同図面に示されたところのように、情報獲得部２２３１、情報抽出部２２３３、情報提供部２２３５、及び情報削除部２２３７を含むことができる。
【０１４７】
情報獲得部２２３１は加入者の通信時に該当加入者端末内に設置されたアップ情報を獲得するためのものであり、例えば、加入者の通信開始時、または事前に(例えば、加入者端末内のアップ設置内容に変更がある場合)加入者の端末(２０Ａまたは２０Ｂ)から伝送されたアップ情報を受信/獲得して保有することができる。
【０１４８】
また、情報獲得部２２３１は、加入者の通信時に該当加入者端末から実時間録音されて伝送された通信内容の音声データファイルを受信して獲得することができる。
【０１４９】
情報抽出部２２３３は、加入者の通信内容から情報獲得部２２３１を通じて獲得されたアップ情報と関連された通話内容としての第１情報を抽出して、その抽出された第１情報に対応するアップ駆動アイコンに対する第２情報を前記獲得されたアップ情報のうちで抽出するためのものであり、加入者の通信中に該当通信内容から加入者端末内に設置されたアップ情報(アップの名称、種類、機能など)を基礎で該当するアップ関連情報(すなわち、通信中に言及された該当アップ関連内容)を抽出することができる。
【０１５０】
例えば、通信中の加入者の端末内に文字を伝送することができるアップとしてＳＭＳ/ＭＭＳメッセージングアップ、カカオトックアップ、及びその他複数のアップなどが設置されていると仮定すれば、情報抽出部２２３３は通話内容のうち“通話が終わって文字伝送する”のような内容が言及されれば、アップ関連情報(第１情報)として該当文章を抽出して、文字伝送ができる該当アップ情報(第２情報)としてＳＭＳ/ＭＭＳ、カカオトックなどを抽出することができる。
【０１５１】
情報抽出部２２３３は、一例で発/受信両側通信者のうちで一方の加入者端末Ａ２０Ａに対して通話相対方である端末Ｂ２０Ｂの使用者が本実施例によるサービス加入者ではない場合、加入者端末Ａ２０Ａの使用者のみの音声通話内容を分析して言及された名前情報を抽出することができるし、他の例で加入者端末Ａ２０Ａに対して通話相対方である端末Ｂ２０Ｂの使用者も本実施例によるサービス加入者である場合、加入者端末Ａ２０Ａ使用者の音声通話内容と相対方加入者端末Ｂ２０Ｂ使用者の音声通話内容を同時に分析して言及された名前情報を抽出することができる。
【０１５２】
情報提供部２２３５は、情報抽出部２２３３を通じて抽出されたアップ関連情報(第１情報)、または該当アップ情報(第２情報)を加入者の端末(２０Ａ及び/または２０Ｂ)に提供するためのものであり、加入者端末(２０Ａ及び/または２０Ｂ)使用者の選択によって、または自動で該当端末に該当名前情報を提供することができる。
【０１５３】
情報提供部２２２５は、一例で通話中に実時間通話内容から抽出された該当第１または第２情報を通話相対方情報とマッチングして該当端末に実時間で提供することができるし、他の例で通話完了後に記憶された該当名前情報を使用者の選択によって、または自動で該当端末に通話相対方情報とマッチングして提供することができるが、提供時点は前述した例に限定されないで多様な変形が可能であろう。
【０１５４】
情報削除部２２３７は、選択的に具備して加入者の通信終了時に情報獲得部２２３１を通じて獲得された該当アップ情報を削除するためのものであり、例えば、加入者の通話開始時に情報獲得部２２３１を通じて該当加入者端末内に設置されたアップ情報を獲得して保有していながら、該当通話が終われば保有した該当アップ情報を情報削除部２２３７を通じて削除することでサーバー３０の記憶負荷を減らすことができる。
【０１５５】
図２３は、本発明の第４実施例によって端末で遂行する通信内容基盤の能動的情報提供のための方法の流れ図であり、図１、図２１の端末Ａ２０Ａまたは端末Ｂ２０Ｂに適用されるので、該当端末の動作と並行して説明する。
【０１５６】
先ず、情報伝送部２１２１は相対方端末との通信が始まれば(Ｓ２３０１)、自分の端末内に設置されたアップ(リスト)情報を抽出して、サーバー３０に送りながら該当通信内容に対する音声認識を要請する(Ｓ２３０３)。
【０１５７】
引き継いで、情報受信部２１２３はサーバー３０で通信内容から抽出されたアップ関連情報(第１情報)及び該当アップ駆動アイコン情報(第２情報)、すなわち、通信中に言及されたアップ関連内容(第１情報)及び該当内容を実行することができるアップ駆動アイコン情報(第２情報)をサーバー３０から受信して獲得する(Ｓ２３０５)。
【０１５８】
引き継いで、アップ表示部２１２５は情報受信部２１２３を通じて獲得された第１情報に対応する通話内容及び第２情報に対応するアップ駆動アイコンを加入者の通信相対方情報とマッチングして画面上に表示するが、例えば、図２５に示されたところのように、画面の上端に通信相対方情報としての相対方名前と電話番号を‘ペ・スジ０１０-８０８０-４０３８’のように表示して、その下の点線のボックス内の画面のように自分の端末内に設置されたアップと関連された通話内容(すなわち、第１情報)として“通話が終わって文字を伝送する”を表示して、該当通話内容(第１情報)に対応するアップ駆動アイコンとして文字を伝送することができるＳＭＳ/ＭＭＳメッセージアイコン、カトックアイコンなどを表示することができる(Ｓ２３０７)。
【０１５９】
最後に、アップ駆動部２１２７はアップ表示部２１２５を通じて表示されたアップ駆動アイコンのうちで一つが選択されれば(Ｓ２３０９)、その選択されたアップを駆動する(Ｓ２３１１)。
【０１６０】
一方、段階Ｓ２３０３で情報伝送部２１２１は通信内容を実時間録音して、その録音された音声ファイルをサーバー３０に伝送することができる。
【０１６１】
図２４は、本発明の第４実施例によってサーバーで遂行する通信内容基盤の能動的情報提供のための方法の流れ図あり、図１、図２２のサーバー３０に適用されるので、該当サーバー３０の動作と並行して説明する。
【０１６２】
先ず、端末Ａ２０Ａと端末Ｂ２０Ｂとの間の通信(音声、メッセージ、またはＳＮＳなどの通信)が始まれば(Ｓ２４０１)、情報獲得部２２３１は加入者端末(２０Ａ及び/または２０Ｂ)の情報伝送部２１２１から伝送された端末内のアップ情報を受信する(Ｓ２４０３)。
【０１６３】
引き継いで、情報抽出部２２３３は段階Ｓ２４０３で受信されたアップ情報を基礎で一方または両方の通信内容から通信中に言及されたアップ関連情報(第１情報)を実時間抽出する(Ｓ２４０５)。
【０１６４】
引き継いで、情報提供部２２３５は段階Ｓ２４０５で情報抽出部２２３３を通じて抽出されたアップ関連情報(第１情報)及び該当アップ駆動アイコン情報(第２情報)を加入者端末(２０Ａ及び/または２０Ｂ)から該当情報の要請があるか、または設定された周期によって、または実時間で通信相対方情報とマッチングして該当加入者端末(２０Ａ及び/または２０Ｂ)に伝送して提供する(Ｓ２４０７)。
【０１６５】
一方、情報削除部２２３７は段階Ｓ２４０１で始まった加入者の通信終了時(Ｓ２４０９)情報獲得部２２３０を通じて獲得された該当アップ情報を選択的に削除することができる(Ｓ２４１１)。
【０１６６】
第４実施例の他の例で、端末内のアップ情報をサーバーに伝送するものではなく、サーバーが音声を分析してアップカテゴリー情報を選定して、その情報を第２情報で端末に下ってくれれば、端末は第２情報に該当するアップが設置されていれば、その設置されたアップアイコンをすべて表示するようにすることができる。例えば、‘文字’が言及された場合‘文字アップル’情報(第２情報)を端末に下ってくれれば、端末で‘文字アップル’に該当する一つ以上のアップルが存在すれば、そのアップル駆動アイコンをすべて表示して、仮にない場合は表示しないようにすることができる。
【０１６７】
第４実施例のまた他の例で、端末は任意に選定された文字アップル駆動アイコンを表示することができる。例えば、使用者が駆動を願うアップルが設置されていなければ設置サイト(グーグルプレイ)に移動して該当アップルをダウンロード及び駆動することも可能であろう。
【０１６８】
本発明の第１乃至第４実施例でサーバー３０は、加入者の通信時に通信内容を通信網から獲得するか、または該当加入者端末(２０Ａ、２０Ｂ)から実時間録音されて伝送された通信内容の音声データファイルを受信して獲得することができる。
【０１６９】
図２６は、前述した第１乃至第４実施例を統合したサービス提供時に使用者端末に表示されるＵＩ(User Interface)画面の一例を示したものである。
【０１７０】
図２６を見れば、使用者端末(２０Ａまたは２０Ｂ)のＵＩ画面には最上端にサービス名称である‘MindTalk’が表示されて、その下の通話相対方情報としての相対方名前‘ペ・スジ’と電話番号‘０１０-８０８０-４０３８’が表示されて、その下の音声メモボタン、連絡先ボタン、日程ボタン、アップリストボタン、関心事ボタンなどが表示されて、その下に順で日程(Plan)、アップ(App)、音声メモ(REC)、連絡先(Friend)、関心事情報などでそれぞれカテゴリーを区分して通話中に言及された一つ以上の日程関連情報、一つ以上のアップ関連情報、一つ以上の音声メモ関連情報、一つ以上の住所録情報、一つ以上の通話者の関心事情報などが該当カテゴリー別に表示されることができる。
【０１７１】
前述した音声メモボタン、連絡先ボタン、日程ボタン、アップリストボタン、関心事ボタンは選択されたボタンのカテゴリーに該当する一つ以上の情報がＵＩ画面の最上端へ来るように整列(sorting)するためのボタンを示す。
【０１７２】
また前述した音声メモと関連された機能は、通話中に使用者が願う区間を選択して自分の端末内に録音して、その録音された情報をテキストに変換して表示することができるものであり、既存の音声録音技術及びＳＴＴ(Speech To Text)技術を利用して具現することができるので詳しい説明は略する。
【０１７３】
図２７乃至図３７は、前述した本発明の第１実施例による使用者端末での通話中に実行画面を説明するための図面である。
【０１７４】
図２７は、通話中にTalk!トーク検索メニューの選択時に実行画面を説明するためのものであり、通話開始時には主要キーワード情報表示領域がブランクでいながら、１０秒間通話内容を分析後に主要キーワードを露出する。通話内容のうちで言及回数、音の大きさ、速度、発音の正確度など発話上特徴が既設定された基準に符合する単語をキーワードで抽出する(音声認識ソリューション)。また、発話上特徴の発生頻度及び/または枝数など、例えば単語使用(繰り返し)頻度などによってランキング(ranking)化する。
【０１７５】
図２８で、図２７の過程によってキーワードが実時間ランキング順で基本１０個が表示されて、キーワード画面の左/右でFlickを通じて実時間ランキングリストを移動することができる。
【０１７６】
図２９は、キーワード組合検索過程を説明するための図面であり、図２９の(ａ)に示されたところのように表示された主要キーワード情報のうちで一つのキーワードが選択されれば、例えば、ウェブブラウザーが自動実行されて選択キーワードを検索語で検索されたポータル検索結果画面が提供される。また、図２９の(ｂ)に示されたところのように削除を願うキーワードをロングタップ(long tap)すれば該当キーワードが削除されて、ブランクを次の順位のキーワードが順次に満たす。
【０１７７】
図３０は、キーワードを組み合わせて検索する方法を示した図面であり、一つ以上のキーワードをドラッグ/ドロップで検索窓に引っぱって、検索(虫眼鏡)を選択すれば、ウェブブラウザーが実行されて２個のキーワードの組合語を検索語で検索されたポータル検索結果画面が提供される。
【０１７８】
図３１は、検索窓のキーワードを編集する方法を示した図面であり、図３１の(ａ)のように検索窓のキーワードをロングタップすれば、該当キーワードが削除されて、空の検索窓を１回タップすれば願う検索語を入力することができるし、検索窓のキーワードを１回タップすれば該当キーワードの内容に追加修正することができる。
【０１７９】
図３２は、通話中に関心目録メニューの選択時に実行画面を説明するためのものであり、通話開始時には関心目録情報表示領域がブランクでいながら、図２７のキーワード生成周期(１０秒)に合わせて左側にキーワードを露出する。
【０１８０】
図３３で、関心目録のキーワードが選択されれば該当キーワードと連関された検索語リストが右側に現われて、連関検索語のうちで一つを選択すれば該当連関検索語を基礎で検索して検索結果を提供する。
【０１８１】
図３４は、関心目録のキーワードを削除する方法を示したものであり、願うキーワードをロングタップして、キーワード右側上端のxボタンをタップすれば、該当キーワード及び連関検索語が削除されて、キーワードブランクは下のキーワードが順次に満たされる。
【０１８２】
図３５は、To-do listアクションボタン(アップ)を実行する各種例を示した図面であり、例えば、日程ボタンをTo-do list情報の‘江南駅で会おうか？’の+上にドラッグ/ドロップすれば日程アップが駆動して、駆動された日程アップの題目領域に該当To-do list情報が自動入力される。また、アクションボタン領域をフリック(Flick)すれば、アクションボタンリストを移動することができるし、使用者が願う新しいアクションボタン、すなわち、アップを追加することができる。また、アクションボタンの表示手順を変更することができるし、アクションボタンを削除することができる。
【０１８３】
図３６乃至図３７は、前述した本発明の第１実施例による使用者端末での通話完了後結果画面の一例を説明するための図面である。
【０１８４】
図３６は、結果画面呼び出し方法を示した図面であり、例えば、図３６の(ａ)のように通話目録が選択されれば、相手方との通話目録にさらに(例えば、通話目録にある相対方情報にマッチングして主要)キーワード情報が表示されて、このように表示された主要キーワード情報領域をタップして選択すれば、サーバーに該当通話目録に対応してログ記憶されたTalk!トーク検索メニュー選択に対応する主要キーワード情報(図６の(ｂ))が基本に受信及び表示される。図３６(ａ)の２番結果画面で関心目録メニュー、またはTo-do listメニューを選択すれば選択された該当メニューに対応する関心目録情報(図７の(ａ))またはTo-do list情報(図８)をサーバーから提供を受けることができる。
【０１８５】
一方、図３６の(ｂ)のように友達写真/名前選択時に友達ページに移動して該当友達の累積キーワードを見せてくれることができる。
【０１８６】
図３７に示されたところのように、通話目録画面で主要キーワード情報が表示された領域をタップすれば、該当通話目録に対応してログ記憶されたTalk!トーク検索メニュー選択に対応する画面が表示されて、ここで願うキーワードを選択して削除することができる。ブランクは次の順位キーワードが順次に満たす。
【０１８７】
前述したところのように本発明の多様な実施例による通信内容基盤の能動的情報提供のための方法は、多様なコンピューターで具現される動作を遂行するためのプログラム命令を含むコンピューター判読可能記録媒体で具現されることができる。前記コンピューター判読可能記録媒体は、プログラム命令、ローカルデータファイル、ローカルデータ構造などを単独でまたは組み合わせて含むことができる。前記記録媒体は本発明の実施例のために特別に設計されて構成されたものなどであるか、またはコンピューターソフトウェア当業者に公知されて使用可能なものであることがある。コンピューター判読可能記録媒体の例にはハードディスク、プロッピィーディスク及び磁気テープのような磁気媒体、ＣＤ−ＲＯＭ、ＤＶＤのような光記録媒体、フロピカルディスクのような磁気−光媒体、及びロム(Read Only Memory)、ラム、フラッシュメモリーなどのようなプログラム命令を記憶して遂行するように特別に構成されたハードウェア装置が含まれる。前記記録媒体はプログラム命令、ローカルデータ構造などを指定する信号を伝送する搬送波を含む光または金属線、導波管などの伝送媒体であることがある。プログラム命令の例にはコンパイラーによって作われるもののような機械語コードだけではなく、インタプリターなどを使ってコンピューターによって実行されることができる高級言語コードを含むことができる。
【符号の説明】
【０１８８】
１０  通信網
２０Ａ  端末Ａ
２０Ｂ  端末Ｂ
３０  サーバー
【図１】
2014192900.tif 000003
【図２】
2014192900.tif 000004
【図３】
2014192900.tif 000005
【図４】
2014192900.tif 000006
【図５】
2014192900.tif 000007
【図６】
2014192900.tif 000008
【図７】
2014192900.tif 000009
【図８】
2014192900.tif 000010
【図９】
2014192900.tif 000011
【図１０】
2014192900.tif 000012
【図１１】
2014192900.tif 000013
【図１２】
2014192900.tif 000014
【図１３】
2014192900.tif 000015
【図１４】
2014192900.tif 000016
【図１５】
2014192900.tif 000017
【図１６】
2014192900.tif 000018
【図１７】
2014192900.tif 000019
【図１８】
2014192900.tif 000020
【図１９】
2014192900.tif 000021
【図２０】
2014192900.tif 000022
【図２１】
2014192900.tif 000023
【図２２】
2014192900.tif 000024
【図２３】
2014192900.tif 000025
【図２４】
2014192900.tif 000026
【図２５】
2014192900.tif 000027
【図２６】
2014192900.tif 000028
【図２７】
2014192900.tif 000029
【図２８】
2014192900.tif 000030
【図２９】
2014192900.tif 000031
【図３０】
2014192900.tif 000032
【図３１】
2014192900.tif 000033
【図３２】
2014192900.tif 000034
【図３３】
2014192900.tif 000035
【図３４】
2014192900.tif 000036
【図３５】
2014192900.tif 000037
【図３６】
2014192900.tif 000038
【図３７】
2014192900.tif 000039